(57)【要約】  装置は、データ処理ユニットを備え、データ処理ユニットは、装置に、人間の脳の少なくとも二つの脳波信号を受けさせ、少なくとも二つの脳波信号の間の位相−位相カップリングと、少なくとも二つの脳波信号の間の位相−振幅カップリングと、少なくとも二つの脳波信号の間の振幅−位相カップリングのうちの少なくとも一つについての、１Ｈｚ以下の周波数を有する徐波に関連した第１情報を形成させ、第１情報を正規化させ、正規化された第１情報についての情報を出力させる。【選択図】図１
2021513391.tif 000002
【特許請求の範囲】
【請求項１】
装置であって、前記装置は、データ処理ユニット（１００）を備え、前記データ処理ユニット（１００）は、一つ以上の処理装置（２００）、およびコンピュータプログラムコードを含む一つ以上の記憶装置（２０２）を備え、前記一つ以上の記憶装置（２０２）、および前記一つ以上の処理装置（２００）を有する前記コンピュータプログラムコードは、前記装置に少なくとも
人間（１０８）の脳の少なくとも二つの脳波信号を受けさせ、
少なくとも二つの脳波信号の間の位相−位相カップリングと、少なくとも二つの脳波信号の間の位相−振幅カップリングと、少なくとも二つの脳波信号の間の振幅−位相カップリングのうちの少なくとも一つについての、１Ｈｚ以下の周波数を有する徐波に関連した第１情報を形成させ、
前記第１情報を正規化させ、
正規化された第１情報についての情報を出力させる、ように構成されている、装置。
【請求項２】
装置であって、前記装置は、データ処理ユニットを備え、前記データ処理ユニットは、一つ以上の処理装置（２００）、およびコンピュータプログラムコードを含む一つ以上の記憶装置（２０２）を備え、前記一つ以上の記憶装置（２０２）、および前記一つ以上の処理装置（２００）を有する前記コンピュータプログラムコードは、前記装置に少なくとも
人間（１００）の脳の少なくとも二つの脳波信号を受けさせ、
少なくとも二つの脳波信号の間の位相−位相カップリングと、少なくとも二つの脳波信号の間の位相−振幅カップリングと、少なくとも二つの脳波信号の間の振幅−位相カップリングのうちの少なくとも一つについての、１Ｈｚ以下の周波数を有する徐波の位相カップリングに関連した第１情報を形成させ、
前記第１情報と、基準脳機能に基づく対応するカップリングテンプレート情報との間で第１比較を実行させ、
前記第１比較の結果についての情報を出力させる、ように構成されている、装置。
【請求項３】
前記一つ以上の記憶装置（２０２）、および前記一つ以上の処理装置（２００）を有するコンピュータプログラムコードは、前記装置に、少なくとも一つの脳波信号の出力についての第２情報を形成させ、前記第２情報を正規化させ、正規化された第２情報の結果についての情報を出力させるように構成されている、請求項１に記載の装置。
【請求項４】
前記一つ以上の記憶装置（２０２）、および前記一つ以上の処理装置（２００）を有するコンピュータプログラムコードは、前記装置に、前記第２情報を正規化するために、基準脳機能に基づく対応する出力テンプレート情報と、前記第２情報との間で第２比較を実行させるように構成されている、請求項３に記載の装置。
【請求項５】
前記一つ以上の記憶装置（２０２）、および前記一つ以上の処理装置（２００）を有するコンピュータプログラムコードは、前記装置に、前記第１情報と前記第２情報とを組み合わさせ、組み合わせ情報と、基準脳機能に基づく対応する組み合わせテンプレート情報との間で組み合わせ比較を実行させ、前記組み合わせ比較についての情報を出力させるように構成されている、請求項３に記載の装置。
【請求項６】
前記一つ以上の記憶装置（２０２）、および前記一つ以上の処理装置（２００）を有するコンピュータプログラムコードは、前記装置に、以下のリスト：てんかん性活動、脳機能障害、神経損傷、睡眠、および一つ以上のゼロでない量の麻酔薬物質のうちの少なくとも一つの影響下にあることが予想されている前記人間（１０８）の前記脳の前記少なくとも二つの脳波信号を受けさせるように構成されている、請求項１に記載の装置。
【請求項７】
前記一つ以上の記憶装置（２０２）、および前記一つ以上の処理装置（２００）を有するコンピュータプログラムコードは、前記装置に、前記第１比較に基づいて前記人間（１０８）が前記リスト内の少なくとも一つの前記影響下にあるかどうかを推定させ、推定の結果を表示させるように構成されている、請求項６に記載の装置。
【請求項８】
ｄと前記一つ以上の記憶装置（２０２）、および前記一つ以上の処理装置（２００）を有するコンピュータプログラムコードは、前記装置に、前記第１比較に基づいて前記人間（１０８）の神経機能レベルを予測させるように構成されている、請求項１に記載の装置。
【請求項９】
前記一つ以上の記憶装置（２０２）、および前記一つ以上の処理装置（２００）を有するコンピュータプログラムコードは、前記装置に、前記第１情報と前記カップリングテンプレート情報との間の差が第１所定閾値より小さい場合、良好な転帰に向けての前記人間の前記神経機能レベルのさらなる進行を予測させるように構成されている、請求項８に記載の装置。
【請求項１０】
前記一つ以上の記憶装置（２０２）、および前記一つ以上の処理装置（２００）を有するコンピュータプログラムコードは、前記装置に、前記第１情報と前記カップリングテンプレート情報との間の差が第２所定閾値より大きい場合、転帰不良に向けての前記人間（１０８）の前記神経機能レベルのさらなる進行を予測させるように構成されている、請求項８に記載の装置。
【請求項１１】
前記一つ以上の記憶装置（２０２）、および前記一つ以上の処理装置（２００）を有するコンピュータプログラムコードは、前記装置に、位相分離畳み込み変換に基づいて少なくとも二つの脳波信号の位相と振幅を分けさせるように構成されている、請求項１に記載の装置。
【請求項１２】
前記一つ以上の記憶装置（２０２）、および前記一つ以上の処理装置（２００）を有するコンピュータプログラムコードは、前記装置に、情報理論的尺度、位相同期乗算器、復調、確率密度推定、二変量尺度、相関関係、多変量因果尺度、およびカップリングフィンガープリントのうちの少なくとも一つに基づいて前記第１情報を形成させるように構成されている、請求項１に記載の装置。
【請求項１３】
前記装置は、前記データ処理ユニット（１００）に前記人間（１０８）の前記脳の前記少なくとも二つの脳波信号を提供するように構成された電極システム（１０２）を備える、請求項１に記載の装置。
【請求項１４】
方法であって、データ処理ユニット（１００）で実行される前記方法は、
データ処理ユニット（１００）によって、人間（１０８）の脳の複数の脳波信号を受けるステップと、
少なくとも二つの脳波信号の間の位相−位相カップリングと、少なくとも二つの脳波信号の間の位相−振幅カップリングと、少なくとも二つの脳波信号の間の振幅−位相カップリングのうちの少なくとも一つについての、１Ｈｚ以下の周波数を有する徐波に関連した第１情報を形成するステップと、
前記第１情報を正規化するステップと、
正規化された第１情報についての情報を出力するステップと、含む、方法。
【請求項１５】
前記方法は、前記第１情報と、基準脳機能に基づく対応するカップリングテンプレート情報との間で第１比較を行うことで前記第１情報を正規化するステップと、前記第１比較の結果についての情報を出力するステップと、をさらに含む、請求項１４に記載の方法。
【請求項１６】
前記方法は、前記少なくとも二つの脳波信号の出力についての第２情報を形成するステップと、前記第２情報を正規化するステップと、正規化された前記第２情報の結果についての情報を出力するステップと、をさらに含む、請求項１４に記載の方法。
【請求項１７】
前記方法は、前記正規化された第２情報と、基準脳機能に基づく対応する出力テンプレート情報との間で第２比較を行うことで前記第２情報を正規化するステップと、前記第２比較についての情報を出力するステップと、をさらに含む、請求項１６に記載の方法。
【発明の詳細な説明】
【技術分野】
【０００１】
本発明は、脳波測定用の装置およびその方法に関する。
【背景技術】
【０００２】
現状の脳波（ＥＥＧ）信号収集装置は、脳機能に直接関係する脳電場電位の長期または連続的な監視（モニタリング）を生じさせることができる。関心の空間チャネルを選択すると、および／または生のＥＥＧ記録から所望の周波数範囲にフィルタをかけると、規定通りに達成可能である。集中治療室（ＩＣＵ）では、患者のＥＥＧの長期監視が可能であり、ＥＥＧは比較的リソースを必要としないため、多くの利点を有し、ＩＣＵのベッドサイドでの脳機能監視に好ましいモダリティとなる（例えば、比較的低コスト、無線、速い、および装置設置面積が小さい）。ＩＣＵの医者にとって、神経機能障害と損傷の両方が共通して発生することに起因して、患者の循環および呼吸機能とともに、脳の状況を同様に診断することは重要である。しかしながら、基本信号を調査することに基づく一連の従来のＥＥＧ診断は、ＩＣＵレベルでは実用的でなくまたは望ましくなく、一般的な指標および／または特定の症例の指標などの関連情報を提供するためにより高度な信号解析が必要とされている。
【発明の概要】
【０００３】
本発明は、測定においての改善を提供しようとするものである。発明は、独立請求項によって定められている。実施形態は、従属請求項で定められている。
【０００４】
本発明による解決策は、複数の利点を提供する。ＥＥＧ信号の測定された位相−位相、位相−振幅および／または振幅−位相カップリング情報は、正常な脳に対して、検査された脳機能がどれだけ秩序だっているか効果的に明らかにすることができる。
【図面の簡単な説明】
【０００５】
本発明の例の実施形態が、単なる実施例の目的で、添付図面を参照して、以下に記載されている。
【０００６】
【図１】図１は、脳機能測定用の装置の例を示す。
【図２】図２は、少なくとも一つの処理装置および少なくとも一つの記憶装置を備える処理ユニットの例を示す。
【図３】図３は、健康な脳での位相−位相カップリングに関連する基準脳機能の例を示す。
【図４】図４は、健康な脳の位相−位相カップリングと健康な脳の基準脳機能との間の差の例を示す。
【図５】図５は、転帰不良な異常機能を有する脳の位相カップリングと健康な脳の基準脳機能との間の差の例を示す。
【図６】図６は、てんかん発作の異常機能を有する脳の位相カップリングと健康な脳の基準脳機能との間の差の例を示す。
【図７】図７は、一つ以上の健康な脳の基準出力レベル曲線、一つ以上の健康でない脳の基準出力レベル曲線、健康な脳の出力レベル曲線、および健康でない脳の出力レベル曲線の例を示す。
【図８】図８は、異常機能を有する脳のバーストサプレッションパターンの位相−位相カップリングと、健康な脳の基準脳機能との間の地形的な比較の例を示す。
【図９】図９は、第１基準脳機能の出力レベルの曲線および健康でない脳の出力測定の曲線の例を示す。
【図１０】図１０は、第１基準脳機能の位相カップリングの曲線および健康でない脳の位相カップリングの曲線の例を示す。
【図１１】図１１は、第１基準脳機能の出力レベルおよび位相カップリングの組み合わせの曲線、並びに健康でない脳の出力および位相カップリング測定の曲線の例を示す。
【図１２】図１２は、位相カップリングおよび出力測定のフローチャートの例を示す。
【図１３】図１３は、カップリング特性指標、視覚化および学習の計算のフローチャートの例を示す。
【図１４】図１４は、指標計算のフローチャートの例を示す。
【図１５】図１５は、磁気刺激装置の例を示す。
【図１６】図１６は、電気刺激装置の例を示す。
【図１７】図１７は、超音波刺激装置の例を示す。
【図１８】図１８は、化学的刺激用の投与装置の例を示す。
【図１９】図１９は、位相−振幅カップリングの例を示す。
【発明を実施するための形態】
【０００７】
以下の実施形態は、単なる実施例である。明細書では、複数の箇所で「ある」実施形態と言及するかもしれないが、これは、各参照が同じ実施形態でることを必ずしも意味するわけではなく、または、特徴が単一の実施形態のみに適用されることを必ずしも意味するわけではない。また、他の実施形態を提供するために異なる実施形態の単一の特徴を組み合わせてもよい。さらに、用語「備える、有する」、「含む」は、言及してきたそれらの特徴のみから成るように記載された実施形態を制限しないものとして理解されるべきである。そのような実施形態は、また、具体的に記載されていない特徴／構造を包含してもよい。
【０００８】
図面は、様々な実施形態を示す一方、それらはいくつかの構造および／または機能エンティティのみを示す、単純化された図面である。記載された装置がまた、図面および文章で記載されたもの以外の他の機能および構造を備えることができることは、当業者には明らかである。いくつかの機能、構造、および測定および／または制御用に使用される信号伝達の詳細は、実際の発明とは無関係であるとは無関係であることを理解すべきである。したがって、本明細書においてより詳細には記載する必要はない。
【０００９】
徐波は、その周波数が１Ｈｚ以下であり（ｆ≦１Ｈｚ）、重要なＥＥＧ特徴であると考えることができる。徐波の生理学的重要性と、麻酔の有無にかかわらず制御して徐波の発生を検査する可能性とに基づいて、この電気生理学的現象が損傷した脳内では乱れるという仮説を立てることができる。波の形成に必要な皮質領域と皮質下領域の間の繊細な相互作用と同様、大規模な神経集団の同期活動は、脳機能に敏感であることが期待される。また、脳が正常に機能しているか異常に機能しているかが分かるかもしれない。
【００１０】
より詳細には、（１Ｈｚ以下である）徐波は、非急速眼球運動（ノンレム）（ＮＲＥＭ）睡眠の最も重要な脳波特徴である。この神経生理学的現象は、新皮質および視床内のニューロンから生じ、脳波の徐波活動と相関関係を有するゆっくりとした振動を示すことが示されている。ゆっくりとした振動は他の脳領域に広がる前に新皮質内のみで生成されると一般に考えられているが、有力な証拠により、完全な脳波の表出に対する視床の貢献が強調されている。高次の認知機能における徐波の生理学的な重要性が、説得力を持って示されており、電気生理学的現象の欠如は意識の障害に関連している。自然睡眠に加えて、徐波は、健常人においては全身麻酔の間に見られる。ＮＲＥＭ睡眠中に発見されたものと同一の細胞およびネットワークレベルの機構に由来して、麻酔誘発性の徐波は、深い鎮静／麻酔状態でのみ生じる無意識の脳の産物であると考えられている。近年、同時に記録された脳波と機能的磁気共鳴画像とを使用することで、麻酔中の徐波活動は、感覚刺激からの視床皮質系の隔離および内部視床皮質交換の保持に関連すると示されている。
【００１１】
このために、本出願は、院外心停止からの蘇生後、集中治療室（ＩＣＵ）の複数の昏睡状態の患者で行われた実験に言及している。
【００１２】
実験手順は、ヘルシンキ宣言のガイドラインに従うオウル大学病院の倫理委員会によって承認されている。患者に最も親しい親戚は、参加するために書面によるインフォームド・コンセント（同意書）を求められる。心肺停止中の酸素供給の減少により、実験前に神経保護作用の手段として治療的低体温処置を受けていたことに起因して、患者は低酸素虚血性脳損傷を患っていた可能性がある。これらの患者は概して、回復の初期段階で潜在的なびまん性脳損傷を検出するのは非常に厳しいため、診断上の大きな課題となる。
【００１３】
図１を用いて脳機能測定用の装置の実施例を説明する。装置は、データ処理ユニット１００を備える。図２は、データ処理ユニット１００のブロック図の実施例を示す。実施形態において、データ処理ユニット１００は、少なくとも一つの処理装置２００および少なくとも一つの記憶装置２０２を備えてもよい。これらの動作は、装置の動作を制御するコンピュータプログラムのプログラムコマンドのシークエンスに基づいている。コンピュータプログラムは、少なくとも一つの記憶装置２０２に格納されてもよい。
【００１４】
図１はまた、データ処理ユニット１００に人間１１０の脳の少なくとも二つのＥＥＧ信号を提供する電極システム１０２を示す。実施形態において、電極システム１０２は、装置の一部であってもよい。
【００１５】
電極システム１０２は、人間１０８の頭皮または脳に電気的に結合、または電気的に接触している。電極システム１０２は、ＥＥＧ信号をデータ処理ユニット１００に提供する。ＥＥＧ信号は、電極システム１０２からデータ処理ユニット１００に直接送られてもよい。または、ＥＥＧ信号は、記憶装置にまず格納され、後ほどＥＥＧデータがデータ処理ユニット１００に送られてもよい。また、ＥＥＧ信号は、データ処理ユニット１００に入力される前に、フィルタにかけられてもよい。
【００１６】
脳波記録法は、本質的には、脳の電気的活動の記録である。電気的活動は、脳組織のニューロンによって引き起こされる電圧変動として測定される。
【００１７】
ＥＥＧ信号は、ＥＥＧ情報をアナログまたはデジタル形式で伝える。情報は、脳の状態および／またはその機能を特定するためにデータ処理ユニット１００で処理および解析され得る。制御動作、決定、示されたデータまたは診断は、ＥＥＧデータまたは特定された状態／機能に基づいてもよい。
【００１８】
人間１０８のＥＥＧ信号を記録するために、装置は、複数のチャネルを有してもよい。チャネルのそれぞれは、電極システム１０２の一つの電極からＥＥＧ信号を伝える。チャネルの数は、１９であってもよく、これに限定されるものではない。ＥＥＧは、電極システム１０２としてＡｇ／ＡｇＣｌ電極を備える電極キャップを用いる国際１０−２０法によって記録されてもよい。記録には、例えば、Ｎｉｃｏｌｅｔ  ｎＥＥＧ  Ｍｏｄｕｌａｒ  Ｎｅｕｒｏｄｉａｇｎｏｓｔｉｃ  Ｓｙｓｔｅｍ  ｗｉｔｈ  ａ  ｖ３２  Ａｍｐｌｉｆｉｅｒが使用されてもよい。増幅器は、例えば、５００Ｈｚのサンプリング周波数および０．０５３−５００Ｈｚのバンド幅を有してもよい。ＥＥＧ記録のため、ＩＣＵの一般的なやり方にしたがって患者を麻酔薬物質で鎮静させてもよいし、患者を刺激装置１１２で刺激してもよいし、または鎮静と刺激の両方が行われてもよい。代替的に、人間１０８は、鎮静も刺激も行われなくてもよい。
【００１９】
概して、ＥＥＧ信号は、それらの間にカップリングを有してもよい。カップリングは、異なる周波数間のカップリングおよび空間信号カップリングで現れる。カップリング関数は、振幅若しくは位相変調、またはそれらの任意の組み合わせであってもよい。関数は、雑音のあるチャネル（例えば、加法性ノイズ（ＡＷＧＮ）、または乗法性ノイズ（位相ノイズ））で測定された（例えば、ＡＭ、ＰＭまたはそれらの任意の組み合わせで）変調された通信信号のグループとして作成されてもよい。カップリング関数は、一つ以上の振幅、位相、若しくは周波数変調指数、または位相／周波数乗数若しくは除数を含んでもよい。関数は、一つ以上のゲイン（例えば、強度）、時間（例えば、遅延）、位相（例えば、シフト角）、およびカップリング方向（例えば、因果関係または相関関係）パラメータを含んでもよい。関数は、強度または位相関数を備える複素位相ベクトルとして表現されてもよい。関数の復調は、コヒーレントまたは非コヒーレントの復調器を含んでもよい。
【００２０】
位相−位相カップリングは、信号の振幅に基づかない。その代わり、位相−位相カップリングを有する二つの信号の位相は、互いに同期された位相で検討することができる。周波数が異なるとき、同期は、第１周波数のｎサイクルと第２周波数のｍサイクルに基づいてもよい。そのようなカップリング特性は、任意の数の周波数に対して実行され得る。同期は、ｎ：ｍ位相同期性を考慮されてもよい。
【００２１】
振幅−位相カップリングは、第１信号の包絡線と第２信号の位相との間の相互依存関係を示す。第２周波数の位相は、第１周波数の振幅を制御または影響を及ぼす。これは、逆もまた同様に機能し、位相−振幅カップリングをもたらす。
【００２２】
データ処理ユニット１００は、ＥＥＧ信号を検出し、第１情報を形成する。検出は、信号フィルタリングを含んでもよい。第１情報は、少なくとも二つの脳波信号間の位相−位相カップリングに基づいてもよい。第１情報は、少なくとも二つの脳波信号間の位相−振幅カップリングに基づいてもよい。第１情報は、少なくとも二つの脳波信号間の振幅−位相カップリングに基づいてもよい。第１情報は、１Ｈｚ以下の周波数を有する徐波に関連していてもよい。カップリングは、１Ｈｚ以下の周波数をそれぞれが有するＥＥＧ信号間で行ってもよい。しかしながら、徐波に関連付けられたカップリングは、少なくとも一方が１Ｈｚより高い周波数を有するＥＥＧ信号間で行ってもよい。位相カップリング自体は、徐波に関連している。
【００２３】
データ処理ユニット１００は、第１情報を正規化する。正規化は、全ＥＥＧ信号および／または徐波を同等にし、それらを共通基準に設定することができる。正規化は、ＥＥＧ信号の特性を共通値に設定することを意味してもよい。その値は、例えば、１に等しくてもよい。共通化は、例えば、ゼロなどの最小所望値と、１などの最大所望値との間になるように縮小されたデータ値を意味してもよい。初期化は、また、距離正規化（例えば、所定の範囲内に限定されたＬ２ノルム）を言及してもよい。
【００２４】
データ処理ユニット１００は最終的に、正規化された第１比較について情報を出力する。出力情報は、例えば、スクリーンなどのユーザインタフェースを使用して示されてもよい。出力結果は、装置の一部のまたは装置に結合されたユーザインタフェース１００Ｂで視覚的にまたは聴覚的に示されてもよい。可視表示は、英数字シンボルおよび／または図的表現を含んでもよい。ユーザインタフェース１００Ｂは、情報を示すためのスクリーン、拡声器および／または印刷機であってもよい。ユーザインタフェース１００Ｂはまた、入力装置として使用されてもよく、そのユーザインタフェースは、例えばタッチスクリーン、キーボード、マウスまたはマイクなどである。カップリングは、複数のグラフの木または素性行列として示されてもよい。
【００２５】
実施形態において、データ処理ユニット１００は、少なくとも二つのＥＥＧ信号間の少なくとも一つの位相−位相カップリングについて第１情報を形成する。第１情報は、１Ｈｚ以下の周波数に関連するＥＥＧ信号間の徐波の位相−位相カップリングに関連してもよい。位相−位相カップリングは、１Ｈｚ以下の周波数をともに有する信号間で行ってもよい。しかしながら、位相カップリングはまた、一方のみが１Ｈｚ以下である周波数の間で存在してもよい。
【００２６】
実施形態において、検出は、一つ以上のアーティファクト検出および除去（例えば、フィルタ、適応フィルタ、ブラインド信号源分離（ＢＳＳ）アルゴリズム）方法を含んでもよい。正規化は、検出の一部であってもよく、または分離操作の一部であってもよい。このようにして、ノイズを、例えば、圧縮することができる。検出は、復号器（例えば、ビタビ、フォワードバックワード検索、期待値最大化（ＥＭ）アルゴリズム）を含んでもよい。検出は、変換（例えば、正規化、主成分分析（ＰＣＡ）、独立成分分析（ＩＣＡ）、ウェーブレット変換、経験的モード分解（ＥＭＤ）、ヒルベルト・ファン変換（ＨＨＴ）、局所線形埋め込み（ＬＬＥ）、または等長特徴写像（Ｉｓｏｍａｐ））を含んでもよい。検出は、分類器（例えば、ｋ近傍法（ｋＮＮ）、線形判別分析（ＬＤＡ）、サポートベクタマシン（ＳＶＭ）、ニューラルネットワーク（ＮＮ）、分類−回帰木（ＣＡＲＴ））を含んでもよい。検出は、一つ以上の距離または類似性測定の分類（例えば、グラフの木または素性行列のカップリング）を含んでもよい。変換は、典型的には、関心のある情報を処理しやすい形式に分離するために形成される。処理は、例えば、ノイズのフィルタリング、特徴の分類、学習を含んでもよい。処理は、さらに処理または監視するために選択される、アーティファクトなどの独立成分、眼球運動（これらは省略／削除され得る）、または特定の関心信号（徐波）を識別および／またはソートするために統計学的手法または他の手法を含んでもよい。カテゴライザは、カップリングを認識するために使用されてもよい。復号器は、特定の結合信号を算出し、把握してもよい。
【００２７】
実施形態において、検出は、一つ以上の閾値を有してもよい。閾値は、例えば、確率分布から選択されてもよい。閾値は、適応的であっても、または学習を含んでもよく、例えば、信号サロゲートジェネレータ（例えば、（振幅および／または位相）エポックのランダム置換）、ラージラグシフティング、振幅および／または位相のランダム分割再配置、フーリエ変換（ＦＴ）、アンプリチュードアジャステッドフーリエ変換（ＡＡＦＴ）、反復ＡＡＦＴ、ウェーブレットに基づくサロゲートアルゴリズム（サロゲート信号は、信号の混合に基づく代替信号であり、サロゲート信号は、他の特性がオリジナルのものに限りなく近い一方で、位相カップリングなどの特定の特性を有さない））、分類器若しくはクラスタリングアルゴリズム（例えば、ｋＮＮ、ＮＮ、ＳＶＭ、ＬＤＡ、ＣＡＲＴ、隠れマルコフモデル（ＨＭＭ）、混合ガウスモデル（ＧＭＭ）、ｋ平均法、学習ベクトル量子化（ＬＶＱ））、または回帰若しくは推定量（最小二乗推定量（ＬＳＥ）、最尤推定量（ＭＬＥ）、カルマン推定器）を含むことができる。一つ以上の閾値は、信号対雑音比を改善するおよび／またはランダムスパイクを制限若しくは除去するために使用され得る。
【００２８】
実施形態において、データ処理ユニット１００は、第１情報と基準脳機能に基づく対応するカップリングテンプレート情報との間の正規化の一部として第１比較を実行してもよい。そして、第１比較の結果は、装置によって出力される。
【００２９】
実施形態において、データ処理ユニット１００は、位相−位相カップリングの第１情報と、基準脳機能に基づく対応する位相カップリングテンプレート情報との間で第１比較を実行してもよい。そして、位相間（位相−位相）比較の第１比較の結果は、装置によって出力される。
【００３０】
テンプレートは、少なくとも一つの健康な、すなわち、「正常な」脳を測定することで形成されてもよい。典型的には、複数の健康な脳の測定がテンプレートのために実行される。テンプレートは、正常な脳の表示であり、正常な変形を含んでもよい。また、テンプレートは、基準脳機能と称されてもよい。
【００３１】
より一般的には、基準脳機能は、健常人、またはてんかん性活動／発作若しくは特定の脳機能障害を有する人を示してもよい。さらに、基準脳は、検査対象者と同一またはそれ以外の人を示してもよい。さらに、基準脳機能は、自然睡眠中、麻酔中、または起きている間の測定を示してもよい。
【００３２】
基準脳機能は、代替的に、少なくとも一部を正常な脳機能の人工的に形成された表示であってもよい。基準脳機能は、データ処理ユニット１００の少なくとも一つの記憶装置２０２に、および／または通信ネットワーク１２２に接続されたサーバ１２４に格納されてもよい。データ処理ユニット１００は、基準脳機能を記憶装置２０２および／またはサーバ１２４から読み出す。サーバ１２４およびデータ処理ユニット１００を備える装置は、通信ネットワーク１２２を利用でき、また、それを通じてサーバ１２４にアクセスできる。通信ネットワーク１２２は、例えば、ローカルエリアネットワーク（ＬＡＮ）またはインターネットであってもよい。基準脳機能のデータは、装置によって収集されてもよく、基準脳機能は、データ処理ユニット１００によって記憶装置２０２内および／またはサーバ１２４内に形成され、格納されてもよい。
【００３３】
実施形態において、一つ以上のカップリング特性は、カップリング強度、カップリングのタイムラグ、カップリングの位相、および各空間的位置または周波数選択関数間の方向の測定であってもよい。カップリング強度は、一方の信号が他方の信号をどれだけ効果的に制御しているかを示す。タイムラグは、一方の信号が他方の信号に影響を及ぼすのにかかる遅延を示す。一方の信号による他方の信号への影響は、位相を有してもよい（影響は、完全に反転していてもよく、例えば、それらの間の位相シフトは１８０°である。）。カップリングは、一方の信号が別の信号をいずれかの方向で制御するような単一指向性であってもよい。加えてまたは代替的にカップリングは、双方向性であってもよい。
【００３４】
カップリング特性の測定は、限定するものではないが、例えば、変調指数、相関関係、共分散、コヒーレンス、エントロピ測度、位相同期度（ＰＬＶ）、位相ラグ指標（ＰＬＩ）、高さ比（ＨＲ）、平均ベクトル長さ（ＭＶＬ）、一般線形モデル（ＧＬＭ）、相互情報量、有向情報量（ＤＩ）、信号対雑音比（ＳＮＲ）を含んでもよい。特性は、（例えば、ＰＣＡ、ＩＣＡ、ウェーブレット変換、ＥＭＤ、ＨＴＴ、Ｉｓｏｍａｐ、ＬＬＥで、またはニューラルネットワーク内で）変換されてもよい。カップリング測定は、スペクトル特性であってもよい。特性は、一つ以上のグラフ木、ベクトルまたは行列へと収集されてもよい。
【００３５】
図３は、基準脳機能（テンプレート）の例を示し、この例において、測定で使用される全電極Ｆｐ１、Ｆｐ２、Ｆ３、Ｆ４、Ｃ３、Ｃ４、Ｐ３、Ｐ４、Ｏ１、Ｏ２、Ｆ７、Ｆ８、Ｔ７、Ｔ８、Ｐ７、Ｐ８、Ｆｚ、ＣｚおよびＰｚ間の位相−位相カップリングマップである（電極は、表示されている全ての図で、この順序になっている）。基準脳機能は、正常なおよび／または健康な人の一測定結果、正常なおよび／または健康な人の複数の測定の平均、または正常なおよび／または健康な人達の複数の測定の平均などであってもよい。測定は、繰り返し行われてもよい。
【００３６】
図４は、対応する基準脳機能（健康な脳機能）と人間の健常な脳の測定された位相−位相カップリングとの間の位相−位相カップリングの絶対差を地形的な形態で表す。明らかなように基準脳と健常な脳との差は大きくない。絶対差は、図４において距離として測定されてもよい（距離は、Ｌ２ノルム、ユークリッド距離の二乗、またはいくつかの行列ノルムなどに基づいてもよい）が、健常な脳と基準脳機能との間の小さな差のみを示す類似の結果が、別の比較方法を用いて得られるだろう。
【００３７】
図５は、対応する基準脳機能と人間の異常機能を備える脳の測定された位相−位相カップリングとの間の位相−位相カップリングの差を地形的な形態で表す。明らかに、基準と、異常機能を備える脳との差は大きい。
【００３８】
図６は、てんかん性発作を有する脳のＥＥＧ信号の位相−位相カップリングと基準脳機能（健常な脳）との間の地形的な比較の例を表す。脳の異なる領域間の徐波の位相−位相、位相−振幅および／または振幅−位相カップリングにより、出力測定とは別の視点が脳に与えられる。
【００３９】
図７は、健常な脳の異なる電極／領域のＥＥＧ信号の徐波の出力レベルの第１テンプレート７００、健常でない脳の異なる電極／領域のＥＥＧ信号の出力レベルの第２テンプレート７０２、良好な転帰の脳の測定信号出力レベル７０４、転帰不良の脳の測定信号出力レベル７０６、および転帰不良のてんかん性発作下の脳の測定信号出力レベル７０８の例を線図として表す。信号は、互いに比較することができるように同じ尺度に正規化されている。てんかん性発作下の脳の測定信号出力レベル７０８は、高いが、対応する位相−位相カップリング７０６は、その脳が正常な脳から逸脱しているということを明らかに示す。類似の結果が、位相−振幅および／または振幅−位相カップリングで得られる。
【００４０】
図８は、脳機能のバーストサプレッションパターンの位相−位相カップリングと健常な脳の基準脳機能との間の地形的な比較の例を表す。健常な脳機能のバーストサプレッションの位相−位相カップリングと基準脳機能（健常な脳）との比較は、当該方法で見られるいくつかの変形例がある。
【００４１】
図３から図６および図８は、代替的にまたは付加的に、ヒートマップ（色分け図）として表されてもよい。ヒートマップは、データ行列の値を色としてグラフ形状で表す。
【００４２】
てんかん性活動若しくはてんかん性発作、バーストサプレッションパターン、またはいくつかの他の異常状態の間、脳内の障害は、出力レベルを変更しない場合があり、または脳の異なる領域のＥＥＧ信号の出力レベルの増加を生じさせる場合もある。このように、てんかん性／異常な脳の測定領域と、正常な、健常な脳の対応する領域との出力分布を比較すると、類似性（値）がかなり高くてもよい、すなわち、例えば、距離が小さくてもよい。したがって、異なる領域間のカップリングは、測定された脳の正常状態とさえ考えられ得る少なくともかなり正常だと誤解される場合がある。しかしながら、脳の異なる領域間の位相−位相、位相−振幅、および／または振幅−位相カップリングは、典型的には、機能障害の間、正常から逸脱し、正常な脳に対する障害を容易に明らかにする。機能障害は、例えば、てんかん性活動または発作であってもよい。位相−位相、位相−振幅および／または振幅−位相カップリング測定ほど効果的ではなく、または同様の方法ではないが、出力測定により、障害を明らかにしてもよい。
【００４３】
実施形態において、データ処理ユニット１００は、少なくとも一つのＥＥＧ信号の出力について第２情報を形成してもよい。第２情報は、測定されたチャネルの出力を含んでもよい（図７参照）。第２情報は、脳の領域／電極に関する出力を含んでもよい。脳の領域の出力は、複数の測定チャネルの出力を含んでもよい。領域の出力は、例えば、平均出力、または加重平均出力であってもよい。そしてデータ処理ユニット１００は、第２情報と、基準脳機能（健常な脳または健常でない脳）に基づく対応する出力テンプレート情報との間の第２比較を実行してもよい。最終的に、データ処理ユニット１００は、第２比較についての情報を出力してもよい。出力は、ユーザインタフェース１００Ｂで視覚的にまたは聴覚的に表されてもよい。ユーザインタフェース１０８Ｂは、位相−位相、位相−振幅および／または振幅−位相カップリング測定に関連した類似の方法で出力を表してもよい。
【００４４】
図９、図１０および図１１に示されている実施形態において、データ処理ユニット１００は、第１情報と第２情報とを組み合わせてもよい。出力の測定の数と、位相−位相、位相−振幅および／または振幅−位相カップリングの測定の数は、同じであってもよいし異なっていてもよい。それらの数に関わりなく、測定は、決定性のやり方で組み合わされてもよい。出力、および位相−位相、位相−振幅および／または振幅−位相カップリングの値は、例えば、互いに重みを付けて、または重み付けをせずに、合計され、または平均されてもよい。
【００４５】
図９において、健常な脳の脳機能の出力レベル９００の測定、および異常な機能の脳の出力レベル９０２の測定の例が、時間の関数として表されている。健常な脳の出力レベル９０２は、相対的レベルが１００に迫る。図１０において、健常な脳の脳機能の位相−位相カップリング１０００、および異常な機能の脳の位相−位相カップリングの測定１００２の例が、時間の関数として表されている。この例において、健常でない脳のレベル１００２は、シグモイド関数を用いたスケーリングと乗算のため、０に接近する。健常な脳の位相−位相カップリング１００２は、ＥＥＧ信号が類似のやり方で処理される場合、相対的カップリング１００に接近する。図９および図１０の例において、出力レベルは、出力曲線が互いに近いため、良好な転帰と言及してもよいが、位相−位相カップリング（または位相−振幅または振幅−位相カップリングのいずれか）は、測定された脳の転帰がよくないことを示すことが分かる。図１１において、図９と図１０の基準脳機能９００と基準脳機能１０００は、組み合わせ基準指標の曲線１１００を形成するために組み合わされている。同様のやり方で、測定９０２と１００２は、組み合わせ測定指標の曲線１１０２を形成するために組み合わされている。図１１において、徐波における位相カップリングに関するカップリング指標が非常に低いため、転帰不良は、明らかである。徐波における位相カップリングに関するカップリング指標曲線１１０２は、低くても、すなわち、連続的に閾値以下であってもよい。指標は、特性または距離計算に基づいて形成されてもよい。例えば、テンプレートからの最大若しくは加重距離、距離の平均または擬距離（例えば、カルバック・ライブラ（ＫＬ）情報量）を使用する。結果は、ソフトマックスまたはシグモイドなどのメンバシップ／活性化関数、およびスカラーでの乗算を用いて、上限と下限（例えば、０から１０、または０から１００）の間で所望の範囲を有するような大きさにされてもよい。
【００４６】
指標を形成する他のやり方は、所望の範囲内の大きさにされた変数に回帰を使用することである。回帰は、線形回帰（ＧＬＭ＝一般化線形モデル）、非線形回帰（例えば、ＳＶＲ＝サポートベクタ回帰）、またはＳＶＭ（サポートベクタマシン）、ＮＮ（ニューラルネットワーク）、ｋＮＮ（ｋ近傍法）などの他のカテゴライザであってもよく、これは特性を直接利用する。結果は、順序において連続または離散であってもよい。代替的に、結果は、例えば、無作為であり、重症度（分類：標準、わずかに逸脱、逸脱、大きく逸脱、および等電）を意味してもよい。
【００４７】
一つより多くの異なる種類の指標は、例えば、ファジー理論を用いて組み合わされてもよい。別の可能性としては、分類機の統合を利用することがある。両方の場合において、スケーリングが実行されてもよい。
【００４８】
本出願の実施例において、指標は、測定と適切なテンプレートとの間の平均距離を用いてカップリングと出力に分けて形成される。指標は、０から１の範囲に、ユーザインタフェースでは０から１００までの大きさにされている。そして、指標は、互いに乗算されている。
【００４９】
データ処理ユニット１００は、組み合わせ情報と、基準脳機能に基づく対応する結合テンプレート情報との間で組み合わせ比較を行ってもよい。そして、データ処理ユニット１００は、組み合わせ比較についての情報を出力してもよい。出力は、ユーザインタフェース１００Ｂにおいて視覚的または聴覚的に表されてもよい。ユーザインタフェース１０８Ｂは、位相−位相、位相−振幅および／または振幅−位相カップリング測定に関するものと同様のやり方で出力を表してもよい。
【００５０】
実施形態において、脳の領域と関係している第１情報は、Ｆｐ１からＰｚなどの電極の位置に基づく頭のマップで即座にまたは時間の関数として表されてもよい。第１情報の値は、例えば、カラースケールを用いて表されてもよい。同様のやり方で、脳の領域と関係している第１情報および第２情報は、組み合わせてまたは分けて、脳のマップで表されてもよい。組み合わせたまたは分けた第１情報および第２情報は、例えば、カラースケールを用いて表されてもよい。
【００５１】
実施形態において、データ処理ユニット１００は、以下のリスト：てんかん性活動、脳機能障害、神経損傷、睡眠、および一つ以上のゼロでない量の麻酔薬物質のうちの少なくとも一つの影響下にある、またはあることが予想される人間１１０の脳の少なくとも二つのＥＥＧ信号を受信してもよい。てんかん性活動は、てんかん性発作を含んでもよい。睡眠は、自然睡眠または麻酔薬物質に補助された睡眠を指してもよい。
【００５２】
実施形態において、データ処理ユニット１００は、第１比較に基づいて人間１１０が上記リストの少なくとも一つの影響下にあるかどうか推定してもよく、推定結果を表してもよい。出力は、ユーザインタフェース１００Ｂにおいて視覚的または聴覚的に表されてもよい。
【００５３】
実施形態において、データ処理ユニット１００は、第２比較に基づいて人間１１０が上記リストの少なくとも一つの影響下にあるかどうか推定してもよく、推定結果を表してもよい。出力は、ユーザインタフェース１００Ｂにおいて視覚的または聴覚的に表されてもよい。推定および出力は、各自次いであると考えられる一つ以上の所定の影響に言及してもよい。代替的に、一つ以上の影響の可能性が推定され、出力されてもよい。
【００５４】
実施形態において、データ処理ユニット１００は、第１比較に基づいて人間１１０の神経機能レベルを予測してもよい。実施形態において、データ処理ユニット１００は、第１比較と第２比較の両方に基づいて人間１１０の神経機能レベルを予測してもよい。実施形態において、データ処理ユニット１００は、第１情報と第２情報の組み合わせに関連する比較に基づいて人間１１０の神経機能レベルを予測してもよい。
【００５５】
実施形態において、データ処理ユニット１００は、第１情報と位相カップリングテンプレート情報との間の差が、第１所定閾値より小さい場合、良好な、またはより良い転帰に向けての人間１１０の神経機能レベルのさらなる進行を予測してもよい。データ処理ユニット１００は、第１情報と位相カップリングテンプレート情報との間の差が、第２所定閾値より大きい場合、転帰不良またはより悪い転帰に向けての人間１１０の神経機能レベルのさらなる進行を予測してもよい。差は、絶対値であってもよく、すなわち、負の差が使用されない。第１閾値と第２閾値は、同じであってもよく、異なっていてもよい。第１閾値は、第２閾値以下であってもよい。閾値は、理論、シミュレーションまたは経験に基づいてもよい。
【００５６】
実施形態において、データ処理ユニット１００は、第１情報と位相カップリングテンプレート情報との間の差が第１所定閾値より小さく、第２情報の出力レベルが第３所定閾値より高い場合、良好な転帰に向けての人間１１０の神経機能レベルのさらなる進行を予測してもよい。データ処理ユニット１００は、第１情報と位相カップリングテンプレート情報との間の差が第２所定閾値より大きく、第２情報の出力レベルが第４所定閾値より低い場合、転帰不良に向けての人間１１０の神経機能レベルのさらなる進行を予測してもよい。
【００５７】
実施形態において、データ処理ユニット１００は、第１情報と位相カップリングテンプレート情報との間の差が第１所定閾値より小さく、第２情報と対応する出力テンプレート情報との間の差が第５所定閾値より小さい場合、良好な転帰に向けての人間１１０の神経機能レベルのさらなる進行を予測してもよい。データ処理ユニット１００は、第１情報と位相カップリングテンプレート情報との間の差が第２所定閾値より大きく、第２情報と対応する出力テンプレート情報との間の差が第６所定閾値より大きい場合、転帰不良に向けての人間１１０の神経機能レベルのさらなる進行を予測してもよい。
【００５８】
閾値は、測定装置、患者、測定の種類（頭皮／脳）、電極（電極の数、種類、皮膚／脳への接続）などによって決まってもよい。しかしながら、当業者は、一つの較正測定でもそれに基づいて動作する容易に第１から第６の閾値を決定することができる。少し（５から１０）以上の較正測定だけで、閾値をより正確にすることができる。さらなる較正測定をすることで、閾値は、できる限り正確になる。
【００５９】
実施形態において、データ処理ユニット１００は、カップリングの特定のために少なくとも二つのＥＥＧ信号の位相および振幅情報を分けてもよい。分離は、例えば、位相分離畳み込み変換に基づいてもよい。位相分離畳み込み変換の例は、ヒルベルト変換である。しかしながら、信号の位相および包絡線／振幅の分離をもたらす他のあらゆる変換が使用されてもよい。離散エネルギ分離アルゴリズム（ＤＥＳＡｓ）を利用でき、ティーガ・カイザ・エネルギ演算子（ＴＫＥＯ）を利用できる、そのような変換は、様々な方法で生成され得る。変換は、例えば、ヘヴィサイドの階段関数および符号関数を用いるフーリエ変換、無限インパルスフィルタ（ＩＩＲ）に基づいて生成されてもよいし、または畳み込みを有する定義によって明確に示されるように有限インパルス応答（ＦＩＲ）フィルタで推定されてもよい。実施形態において、位相−振幅復調は、位相分離変換の選択に影響を与えてもよい。
【００６０】
実施形態において、データ処理ユニット１００は、情報理論的尺度、位相乗算器、復調、確率密度推定、二変量尺度、相関関係、多変量因果尺度、およびカップリングフィンガープリント（ｃｏｕｐｌｉｎｇ  ｆｉｎｇｅｒｐｒｉｎｔ）のうちの少なくとも一つに基づいて第１情報を形成してもよい。位相同期乗算器などの位相乗算器は、カップリングが検出された係数であってもよい。
【００６１】
情報理論は、統計的推測ツールを形成し、特に因果推論関係を評価し、最終的にグラフとして接続推定を構成するために、何を得ることができるか、どのように情報の流れをモデル化することができるかの境界を与える。ここでのＥＥＧ信号推論に関連する重要な概念は、エントロピ、ＫＬ情報量（情報利得）、相互情報量、有向情報量、相互関係および因果関係、トポロジー、および複雑性である。また、信号解析は、一般的に機械学習および人工知能の幅広い話題の下のツールおよび概念を利用する。
【００６２】
情報理論において、ランダム過程として以下の二つの信号が定められている。
【００６３】
【数１】
2021513391.tif 000003
【００６４】
【数２】
2021513391.tif 000004
【００６５】
無相関情報源のシャノンエントロピは、次のようになる。
【００６６】
【数３】
2021513391.tif 000005
【００６７】
相関関係があると、相互情報量は、次のようになる。
【００６８】
【数４】
2021513391.tif 000006
ここで、
2021513391.tif 000007
は、条件付きエントロピであり、因果的影響があると、ＤＩ（有向情報量）は次のようになる。
【００６９】
【数５】
2021513391.tif 000008
ここで、
2021513391.tif 000009
は、因果エントロピである。
【００７０】
信号位相カップリングは、源および変調された信号対、すなわち、位相−位相カップリング用に変調された単側波帯（ＳＳＢ）または位相−振幅カップリング用の振幅変調（ＡＭ）、シークエンスとしてモデル化されてもよく、これらは選択されたベースバンド（例えば、［０  １］Ｈｚで徐波カップリング）で復調して解析できるのが好ましいが、ｚ＝ｍ／ｎの特有の乗算器でも解析できるのが好ましい。位相乗算器ｎ、ｍでのカップリングは、様々な類いの変調信号（例えば、位相成分の定義に基づいて上側ＳＳＢ、ＡＭ、ＣＷ）に対応してもよい。ｘｉとｘｊとの間の位相カップリングは、一般的に次のように定められる。
【００７１】
【数６】
2021513391.tif 000010
ここで、Ｍは、位相カップリング差の質で定められる定数である。Δφ（ｔ）＝Ｍである場合、結合信号は、結合されると好ましい（Ｍ＝０は、乗算後の信号が同じであることを意味する。）。｜Δφ（ｔ）｜≦Ｍである場合、信号は、位相同調にあり、これは、ノイズの存在下および／またはカオス結合信号の場合であってもよい。
【００７２】
しばしば、生体システムにおいて、関心の乗数は、ｎ＝１、ｍ＝１に制限されているが、より高い周波数の乗算接続に、特に、高周波数帯でソース信号の位相と変調ターゲット信号の振幅との間の位相カップリングを定めるとき、関心があってもよい。
【００７３】
位相乗算器は、次のように表すことができる。
【００７４】
【数７】
2021513391.tif 000011
ここで、ｚ＝ｍ／ｎは、乗数である。ソース信号バンド幅は［ａ  ｂ］＝［ｆ１  ｆ２］＝ＢＷｘｉである。ターゲット信号バンド幅は、［ｃ  ｄ］＝［ｆ３  ｆ４］＝ＢＷｘｊである。１≧ｒ≧０は、乗算器のバンド重なり率である。乗算での位相ノイズ増加は、選択された閾値レベル以下である。
【００７５】
【数８】
2021513391.tif 000012
【００７６】
ここで、Ｐｉｎｂａｎｄ＝ｒ・Ｐ、Ｐｏｕｔｂａｎｄ＝（１−ｒ）・Ｐを選択することにより、信号が対応するバンド幅で一様に分布していると仮定し、無相関位相ノイズＮφｘｉおよびＮφｘｊを仮定すると、ＳＮＲでの変化を次のように推定することができる。
【００７７】
【数９】
2021513391.tif 000013
2021513391.tif 000014
ここでΔＳＮＲｔｈｒｅｓｈｏｌｄは、乗数の選択および／または制限バンド幅の重なりに起因する、位相ノイズ増加および／または信号損失によるＳＮＲの選択された最大許容減少である。これは、例示的な閾値であり、値は、例えば、−３０ｄＢｃまたは−４０ｄＢｃなど異なっていてもよいことに留意されたい。ここで、ｚ＝ｎ／ｍの候補の特有の範囲は、動作閾値内で形成され得る。例えば、
2021513391.tif 000015
を選択すると、
2021513391.tif 000016
および
2021513391.tif 000017
を得ることができる。ｎおよびｍの候補は、例えば、行ｚの候補行列Ｚを得るためにベクトル外積
2021513391.tif 000018
によって生成され得る。候補行列Ｚ＝ｍ／ｎは、例えば、ベクトル化された候補行列をソートし、その後の同一値（また、１未満の値は、目標バンド幅が高く、ソースバンド幅から離れている場合、直ちに破棄されてもよい）を除去し、元の行列に戻すことで、除去され得る、複数の表記（例えば、２＝２／１＝４／２）を含む。バンド幅ＢＷｘｉおよびＢＷｘｊが候補ｚの乗数とマッピングされない場合、非常に小さいｒを有する対応する分数は削除されてもよい。ｎとｍの候補は、有効なｚ値を含む行列の行と列として、選択されてもよい。ほとんどの位相乗数の候補は、伝統的に定められたＥＥＧバンド幅（すなわち、デルタ、アルファ、シータ、ガンマ）には自然には一致しないことに留意されたい。また、関心のある乗数のセットは、学習構造を含むアプリケーションのために、事前に計算し、オフラインで選択できる。
【００７８】
確率変数の分布の推定を単純化するために、ヒストグラムベースの手法を利用してもよい。カウント関数ｍｋを用いて分布Ｐは、関数
2021513391.tif 000019
で測定されるランダム過程ＸｎおよびＹｎで定められる。
【００７９】
【数１０】
2021513391.tif 000020
サンプルサイズＮおよびビンサイズＫは、それぞれ次のように選ばれてもよい。
2021513391.tif 000021
および
2021513391.tif 000022
。
【００８０】
均等に分布するビンを選択する目的でサンプリングレートをＦＳ＝１００Ｈｚ→２５０Ｈｚ、時間窓をｔ＝３０ｓ→６０ｓを選択した場合、位相ビニングのために、（すなわち、３６０＝２＊２＊２＊３＊３＊５）３６０°は、２、３、４、５、６、８、９、１０、１２、１５、１８、２０、２４、３０、３６、４０、４５、６０、７２、９０、１２０または１８０によって割ることができる。または、ラジアン単位で２の累乗の割り算（すなわち、２π／２ｎ｜ｎ∈｛１、２、３、．．．、８｝）を用いて、合理的な２の累乗の除算器出力を２、４、８、１６、３２、６４、１２８、２５６として得ることができる。また、高速フーリエ変換（ＦＦＴ）計算の効率性を支持するために、２の累乗のサンプルレートは、好ましい（例えば、Ｎ＝２ｎ｜ｎ∈｛１２、１３｝）。ここで、ＦＳおよびｔの組み合わせによって生成されたＮサンプルの以下の選択肢を得る（桁の大きさで示されている）。
【００８１】
【数１１】
2021513391.tif 000023
2021513391.tif 000024
また、Ｋ個のビンの対応する候補を次数の形式で得る（ラジアン形式および／またはＮが２の累乗である）。
【００８２】
【数１２】
2021513391.tif 000025
【００８３】
同様に、合理的な値の範囲および分解能、適切なＫの候補を用いて、振幅のビンを導いてもよい。
【００８４】
また、確率分布は、カーネル密度推定、パラメトリック密度モデル（例えば、ＧＭＭ）、およびモンテカルロ法（例えば、サンプリングまたはブーストストラップ）などの一つ以上の他の方法も用いて確率密度推定を形成するために、（例えば、連続関数として、またはＫ個のビンなどの離散量子化レベルを用いて）推定されてもよい。密度は、また、変換された特徴（例えば、元の特徴空間の監督された選択または変換）の低次元のセットに対応する関心のある分布のセットを提供するために、カーネル埋め込みまたは次元削減手法などのツールを用いて、複数特徴（すなわち、多次元）設定でモデル化されてもよい。
【００８５】
カップリングの２変数尺度、および因果関係は、以下のような特徴として導くことができる。
【００８６】
分布の不均一性（例えば、ヒストグラム推定のビン）を測定するＨＲ（高さ比）は、以下である。
【００８７】
【数１３】
2021513391.tif 000026
【００８８】
エントロピは、以下である。
【００８９】
【数１４】
2021513391.tif 000027
分布Ｑ（ｋ）を有するＫＬ（カルバック・ライブラ）分散は、以下である。
【００９０】
【数１５】
2021513391.tif 000028
均一な分布（すなわち、カップリング無し）Ｕを仮定すると、同様に以下を得る。
【００９１】
【数１６】
2021513391.tif 000029
【００９２】
ＤＫＬ（Ｐ，Ｕ）を用いると、変調指数（ＭＩ）尺度を得る。
【００９３】
【数１７】
2021513391.tif 000030
【００９４】
また、位相差から直接的に、ＰＬＶ（位相同期度）は以下である。
【００９５】
【数１８】
2021513391.tif 000031
ここで、Δφ（ｎ）は、任意の乗算器を適用した後の信号の位相差である。
【００９６】
ＧＬＭ（一般線形モデル）、ＭＶＬ（平均ベクトル長さ）、バイコヒーレンス、ＤＩなどの情報理論的尺度など多くの他の特徴が、位相カップリングを推定するために使用されてもよい。
【００９７】
信号ｘおよびｙについて、畳み込み（＊）を用いた相互相関（★）は、以下である。
【００９８】
【数１９】
2021513391.tif 000032
ここで、ｘ＊（−ｔ）は、共役および時間反転信号を示し、自己相関は、単純に以下であり、ここでは信号ｘについてのみである。
【００９９】
【数２０】
2021513391.tif 000033
【０１００】
フーリエ変換を用いた周波数領域において、
2021513391.tif 000034
および
2021513391.tif 000035
が得られる。周波数領域において、相互相関Ｓｘｙ（ｆ）と自己相関Ｓｘｘ（ｆ）用のための対応する質、すなわち、それぞれ、相互スペクトル密度とパワースペクトル、は、ここでは変換関数と複素共益変換関数の乗算であり、周波数領域における信号がエルミート関数（すなわち、実数値信号のフーリエ変換が保証されている）であると仮定すると、それぞれ、Ｓｘｙ（ｆ）＝Ｘ（ｆ）・Ｙ＊（ｆ）とＳｘｘ（ｆ）＝Ｘ（ｆ）・Ｘ＊（ｆ）が得られる。
【０１０１】
時間領域バージョンは、逆フーリエ変換を使用することで、簡単なやり方でそれぞれ以下の、
2021513391.tif 000036
と
2021513391.tif 000037
のようになる。離散時間信号には、離散フーリエ変換（ＤＦＴ）および逆離散フーリエ変換（ＩＤＦＴ）、すなわち、実際には相当するものとして高速フーリエ変換（ＦＦＴ）および逆高速フーリエ変換（ＩＦＦＴ）、が使用される。
【０１０２】
「解析的な」相関関係は、ここでは相互相関のみで、次のように構成され得る。
【０１０３】
【数２１】
2021513391.tif 000038
【０１０４】
ここで、
2021513391.tif 000039
は、９０°（すなわち、π／２）シフト相互相関である。実際には、信号対のための解析的な相関関係は、時間領域に戻す前に周波数領域において直接的に構成されてもよい。すなわち、例えば、周波数領域においてヒルベルト変換の近似を用いることで、相互相関の解析信号を定めてもよい。代替的に、ｘ（ｔ）とｙ（ｔ）の対応する解析信号から（または、関心があるカップリングタイプの、位相関数、解析的に正規化された包絡関数、またはそれらの任意の位相シフトまたは変調バージョンの導関数に基づいて）、解析信号関数（または導関数）の対応する実数部分と虚数部分を取得することにより、全ての必要な相関関係を構成することができ、関心のある、相関と位相シフトされた相関とを分けて生成する（例えば、単純な畳み込み）。または、それどころか、相互相関では、以下であるため、周波数領域において常に動作する。
【０１０５】
【数２２】
2021513391.tif 000040
【０１０６】
ここで、ｈ（ｔ）は、カーネルである。周波数領域において、カーネル畳み込み相互相関
2021513391.tif 000041
は、次のようになる。
【０１０７】
【数２３】
2021513391.tif 000042
【０１０８】
ここで、Ｈ（ｆ）は、カーネルｈ（ｔ）のフーリエ変換である。例えば、相互相関にヒルベルト変換を行うために、Ｈ（ｆ）を、ヘヴィサイドの階段関数および符号関数（すなわち、有限長推定フィルタ）として選択することができ、他の任意のＦＩＲフィルタ（例えば、周波数選択、埋め込み推定、または位相推定）が、フィルタ係数（すなわち、フィルタインパルス応答）のフーリエ変換として、またはそれらの任意のカスケードの組み合わせとして、Ｈ（ｆ）を選択することで実行されてもよい。計算およびメモリ効率のよい連続的な動作のためのフィルタリングの実際の実装は、選択された解析窓、ＦＦＴおよびフィルタ長によって決定される効率の良さに基づいて、出力バッファの構成のために、重畳保存（オーバラップ保存）または重畳加算（オーバラップ加算）アルゴリズムのいずれかを用いる循環バッファで実現できる。ヒルベルト変換を用いて、複素「解析」相互相関
2021513391.tif 000043
を得ることができる。
【０１０９】
【数２４】
2021513391.tif 000044
ここで、上記式は、解析相互スペクトルである。有限Ｎ長離散時間信号では、関連するゼロパッド（ゼロを詰め込み）された２Ｎ長（すなわち、２Ｎ−１の値の相互相関シークエンス（数列）を生成する）ＤＦＴ方程式は、以下である。
【０１１０】
【数２５】
2021513391.tif 000045
【０１１１】
【数２６】
2021513391.tif 000046
【０１１２】
【数２７】
2021513391.tif 000047
【０１１３】
【数２８】
2021513391.tif 000048
【０１１４】
選択された信号成分間の関心のある相関関係が計算されたとき、複素「解析」相関関係を用いて、ピーク相関関係ｃｍａｘ、群時間遅延τｄおよび瞬時位相差φτｄを方程式によって以下のように定めることができる。
【０１１５】
【数２９】
2021513391.tif 000049
【０１１６】
【数３０】
2021513391.tif 000050
【０１１７】
【数３１】
2021513391.tif 000051
ここで、τ（すなわち、ラグ（遅延））は、因果関係の時間基準を満たすためにτ≧０となるように選択され得る（すなわち、過去のみが未来に影響を与えることができる）。しかしながら、負の遅延（τｄ＜０）での相関関係は、また、因果関係が逆方向に存在することができると解釈され得る。想定されるフィードバックネットワークの存在と、どちらの信号も元の情報ソースではないかもしれないが、検出された相互相関はその代わりにカスケードおよび／またはプロキシのみによるものであるという事実の存在に起因する多感覚信号データでの両方向への相関最大値を見つけることが重要である。このような場合、相関関係は、両方の方向で見られるが、これは、因果関係が両方の方向に存在できることを意味しない（しかし、循環的な因果関係が存在することを示唆する場合がある）。したがって、相関解析が関心のある全ての信号および成分の間で行われる場合、各相関関係は、二つの方向を含むことが分かり、正と負の遅延は、相関関係、群遅延、および位相差値を計算するために使用され得る。信号選択に基づいて、信号成分選択（すなわち、変調）および周波数選択関数（すなわち、フィルタ）に起因して、いくつかの方向には、実際の相関関係が含まれていない可能性がある。また、自己相関関数の同様の解析は、想定される周期性に起因して（例えば、信号の本質的な品質またはネットワークカスケード／プロキシ接続に起因して）、関心がある。
【０１１８】
きれいな信号（基準信号）とノイズの多い破損した信号の信号雑音比（ＳＮＲ）への相関関係の接続は、
2021513391.tif 000052
である。ここで、Ｐは、信号出力である。Ｎ０は、ノイズ出力である。Ｒは、相互相関である。同様に、同等量の相関関係のないノイズを加えられた二つの信号（測定された信号）でのＳＮＲは、
2021513391.tif 000053
である。相互相関の計算は、任意の位相差および遅延差による影響を大きく受けるため、カップリングＳＮＲの推定を、最大相互相関ピークで行うことが必要である。そして、対応するＳＮＲ推定を、最大相関関係で、ｄＢで得ることができる。
【０１１９】
【数３２】
2021513391.tif 000054
【０１２０】
多変量因果尺度は、導かれ得、チャネルｉ、ｊ因果関係テストが全てのチャネル情報を用いて行われ、チャネルｉをともに予測する（すなわち、全ての利用可能な過去情報に条件付けされている）という、基本原理に基づいている。そして、チャネルｊが削除された（すなわち、チャネルｊの過去情報に条件付けされていない）セットとの比較が行われる。使用された因果尺度において顕著な降下が観察された場合、チャネルｉ、ｊの間で因果関係のつながりが確立され得る。そのようなつながりは、行列またはグラフ木構造で収集され、特徴として、または他の特徴に加えるように、使用されてもよい。
【０１２１】
因果尺度、およびカップリングは、例えば、グレンジャー因果、並びに有向伝達関数（ＤＴＦ）、部分有向コヒーレンス（ＰＤＣ）およびそれらから派生した方法などの関連方法など、線形多変量自己回帰（ＡＲ）モデルベースの推定量として計算されてもよい。また、有向情報、移動エントロピまたは条件付き移動エントロピなどの、非線形情報理論モデルベースの尺度が使用されてもよい。
【０１２２】
多変量因果グラフ構築は、二変量バージョンなどの同様の方向、遅延、位相差および測定カップリング強度構成を含んでもよい。また、重要な因果関係およびカップリング構造は、類似の方法で、例えば、ブーストストラップおよびサロゲートなどのモンテカルロ法を用いる仮説検証で、識別されてもよい。
【０１２３】
複数の測定信号間のカップリング構造、すなわち、カップリングフィンガープリント、は、行列として表されてもよい。例えば、尺度として時間領域の相互相関、変調指標、高さ比を用いる二変量線形の場合、以下の手順を実行する。実伝達関数ｆ、ｇ、チャネルｉ、ｊおよびサンプル指標ｍ、ｎを次のように仮定する。
【０１２４】
【数３３】
2021513391.tif 000055
そうすると、測定信号ｘｉ（ｎ）およびｘｊ（ｎ）から関心のある信号成分ｕｆ，ｘｉ（ｎ）およびｕｇ，ｘｊ（ｎ）を次のように得る。
【０１２５】
【数３４】
2021513391.tif 000056
【０１２６】
【数３５】
2021513391.tif 000057
【０１２７】
成分から、相互相関は以下のように定められる。
【０１２８】
【数３６】
2021513391.tif 000058
そして、「解析」相互相関は以下のようになる。
【０１２９】
【数３７】
2021513391.tif 000059
【０１３０】
最大相互相関ピーク強度は、以下である。
【０１３１】
【数３８】
2021513391.tif 000060
最大相関ピークでの時間遅延は、以下である。
【０１３２】
【数３９】
2021513391.tif 000061
位相差は、以下である。
【０１３３】
【数４０】
2021513391.tif 000062
【０１３４】
測定信号ｘｉ（ｎ）およびｘｊ（ｎ）が所定の測定間隔でのランダム処理
2021513391.tif 000063
に対応すると仮定してベクトルおよび行列表記を使用すると、最大相互相関ピーク強度行列を次のように得る。
【０１３５】
【数４１】
2021513391.tif 000064
測定遅延行列を次のように得る。
【０１３６】
【数４２】
2021513391.tif 000065
そして、測定位相行列を次のように得る。
【０１３７】
【数４３】
2021513391.tif 000066
【０１３８】
ここで、遅延および位相情報、並びに信号成分（
2021513391.tif 000067
および
2021513391.tif 000068
）の解析表現を用いると、位相および遅延整合信号を次のように得る。
【０１３９】
【数４４】
2021513391.tif 000069
【０１４０】
関数を
2021513391.tif 000070
および
2021513391.tif 000071
として選択すると、振幅−振幅カップリング（ＡＡＣ）は、相互相関行列を次のように特徴付ける。
【０１４１】
【数４５】
2021513391.tif 000072
【０１４２】
また、整合信号は、例えば、変調指標（ＭＩ）を用いて、他の特徴行列を生成するために容易に使用され得、次の式を作成する。
【０１４３】
【数４６】
2021513391.tif 000073
行列にて高さ比（ＨＲ）を用いて次の式を生成する。
【０１４４】
【数４７】
2021513391.tif 000074
ここで、
2021513391.tif 000075
であり、
2021513391.tif 000076
である。
【０１４５】
同様に、
2021513391.tif 000077
を仮定すると、位相−振幅カップリング（ＰＡＣ）は、ＣＰＡＣ、ＭＩＰＡＣ、ＨＲＰＡＣを特徴付ける。そして、
2021513391.tif 000078
のとき、位相−位相カップリング（ＰＰＣ）は、ＣＰＰＣ、ＭＩＰＰＣ、ＨＲＰＰＣを特徴付ける。任意の他の特徴尺度は、ＰＰＣ設定を用いるＰＬＶなどの特徴行列形式で同様に収集され得る。例えば、以下である。
【０１４６】
【数４８】
2021513391.tif 000079
【０１４７】
カップリング、因果関係などの特徴の結果は、現在および／または将来の神経機能の推定、尤度および／または予測を生成するために使用される学習構造を生成するために、統計的推測および人工知能手法に使用されてもよい。そのような構造は、特徴数列（ベクトルまたは行列）の確率分布、例えばブーストストラップおよび有意性推定またはカーネル密度推定、に基づいてもよい。次元削減および／または特徴変換は、ＰＣＡ、多様体学習（例えば、Ｉｓｏｍａｐなどの測地線距離法）、またはＩＣＡなどのＢＳＳ（ブラインド音源分離）法などの特徴に利用されてもよい。特徴探索および／または選択法は、線形探索または遺伝的アルゴリズムなどを、学習構造の性能を最適化および向上させるために使用されてもよい。例えばＧＬＭなどの回帰法が特徴数列に適用されてもよい。数列のセグメンテーションおよび／または復調が、例えば距離行列および閾値に、特徴数列を処理するために、または、例えばベイズ情報量規準（ＢＩＣ）に基づいて、モデル変更検知法を利用して、学習を関連信号領域に誘導しおよび／または学習用のデータを処理するために、使用されてもよい。分類器ベースの学習構造が使用されてもよい。分類器構造は、距離尺度および閾値、または例えばベイジアン分類器若しくはＧＭＭなどの確率分布差に基づいてもよい。ＨＭＭなどの、動的構造が使用されてもよい。ＳＶＭなどのカーネルベースの分類器、またはｋＮＮなどの非パラメトリック分類器が使用されてもよい。例えば誤差逆伝播法を用いた最適化を伴う学習構造としてニューラルネットワークが適用されてもよい。ニューラルネットワークは、黙示的にまたは明示的に、任意の特徴選択、変換、セグメンテーション、および／または分類機能も含む深層学習アーキテクチャ、深層信念ネットワーク（ＤＢＮ）、畳み込みニューラルネットワーク（ＣＮＮ）、または再帰型ニューラルネットワーク（ＲＮＮ）であってもよい。深層学習アーキテクチャは、長・短期記憶（ＳＬＴＭ）ブロックを含んで構成されてもよい。深層アーキテクチャニューラルネットワークは、残差ニューラルネットワークとして構成されてもよい。
【０１４８】
学習構造が、新しい自動化された人工知能（ＡＩ）ＥＥＧ監視解決策を提供し、ＥＥＧ信号モデル識別（例えば、バーストサプレッションパターン検出および監視）、アーティファクト検出およびフィルタリング（例えば、眼球運動、筋肉のアーティファクト、またはセンサ故障／分離）、正／不正動作モード検出（例えば、発作検出、睡眠相推定）、神経機能分類（例えば、正規性推定、機能障害の種類（せん妄、発作など）、神経損傷の種類（びまん性損傷／神経外傷））などの、高度なＡＩ患者状態推定および診断機能を可能にするために適用されてもよい。また、薬理的化合物作用のモデル化／追跡が、実現されてもよい（例えば、麻酔の深度、長期薬物療法介入監視／制御（治療薬注入監視／制御））。
【０１４９】
学習構造およびその結果として得られるＡＩ解決策は、損傷／機能障害の回復推定および制御（例えば、薬物、経頭蓋電気刺激（ｔＥＳ）または経頭蓋磁気刺激（ＴＭＳ）治療制御での治療介入効果の推定、）または将来の状態変化および／またはさらなる損傷／機能障害（例えば、発作、せん妄または死亡）の可能性などのタスクの予測および監視に使用されてもよい。
【０１５０】
学種構造に基づく自動化されたＡＩ  ＥＥＧ解決策は、ＩＣＵに長期連続的な神経学的状態監視を提供し、複雑なＥＥＧ信号情報を、特定の指標、状態表示および通知のより使用者が使いやすい形式に変換することを提供するように使用されてもよい。ＡＩに基づくＥＥＧ解析は、例えば手術計画のために、画像モダリティ融合マッピングを提供するために、脳磁図（ＭＥＧ）、（機能的）磁気共鳴画像（（ｆ）ＭＲＩ）、または陽電子放出断層撮影（ＰＥＴ）画像などの、機能的および／または地形的な）他の脳画像に適用されてもよい。ＡＩ  ＥＥＧは、睡眠監視（例えば、睡眠の質および量の推定）に、またはブレインインタフェース（例えば、ユーザインタフェース、感情／認識／文脈状態評価）などの様々な他の非医学的な目的に使用されてもよい。
【０１５１】
さらに、ＡＩ  ＥＥＧは、新しいｔＥＳおよびＴＭＳ刺激装置（例えば、経頭蓋直流電気刺激（ｔＤＣＳ）、交流電流刺激（ｔＡＣＳ）、パルス電気刺激（ｔＰＣＳ）、ランダムノイズ刺激（ｔＲＮＳ）、リップル電気刺激（ｔＲＣＳ））などの新しい治療の研究開発、新しい薬剤開発、または薬剤の神経的作用評価に適用されてもよい。基礎的化学研究において、ＡＩ  ＥＥＧ神経機能評価は、例えば、認識研究設定において認識神経画像法として、使用されてもよい。
【０１５２】
すでに説明しているように、データ処理ユニット１００は、少なくとも一つの処理装置２００および少なくとも一つの記憶装置２０２を備える。実施形態において、一つ以上の記憶装置２０２、および一つ以上の処理装置２００を有するコンピュータプログラムコードは、装置に少なくとも二つのＥＥＧ信号の間でカップリング情報を形成させてもよい。一つ以上の記憶装置２０２、および一つ以上の処理装置２００を有するコンピュータプログラムコードは、また、装置に第１情報を正規化させ、位相カップリング情報と、基準脳機能に基づく対応する第１テンプレート情報との間の第１比較を形成させてもよい。
【０１５３】
実施形態において、一つ以上の記憶装置２０２、および一つ以上の処理装置２００を有するコンピュータプログラムコードは、装置に二つのＥＥＧ信号の出力についての第２情報を形成させてもよい。一つ以上の記憶装置２０２、および一つ以上の処理装置２００を有するコンピュータプログラムコードは、また、装置に第２情報と、基準脳機能に基づく対応する出力テンプレート情報との間の第２比較を形成させてもよい。最終的に、一つ以上の記憶装置２０２、および一つ以上の処理装置２００を有するコンピュータプログラムコードは、装置に第２比較についての情報を出力させてもよい。
【０１５４】
実施形態において、一つ以上の記憶装置２０２、および一つ以上の処理装置２００を有するコンピュータプログラムコードは、装置に第１情報と第２情報を組み合わさせ、組み合わせ比較についての情報を出力させてもよい。
【０１５５】
また、高度脳機能尺度が、睡眠監視または神経治療効果の測定などの同様の適応例で有用であることを示してもよい。機械学習およびＡＩ（人工知能）が、一般に、医学、ブレインユーザインタフェース、認知科学、および感情コンピューティングにおいて、複数の将来の応用のため、脳信号解析の基礎になることは明らかである。
【０１５６】
ＥＥＧデータと基準脳機能の対応するデータとの間の比較によって測定された正常な脳機能からの逸脱は、脳機能障害に起因する可能性がある。脳機能障害は、低酸素性虚血性脳症／脳損傷、外傷性脳損傷、脳卒中、脳内若しくはくも膜下出血若しくは他の脳出血、敗血症性脳症、髄膜炎、脳炎、血管炎、肝性脳症、中毒性若しくは代謝異常、または薬剤の副作用により、生じる可能性がある。脳機能障害は、例えば、昏睡またはせん妄の形で現れる可能性がある。さらに、脳機能障害は、例えば、アルツハイマー病若しくはパーキンソン病などの神経変性疾患、血管疾患、前頭側頭型若しくはレビー小体型認知症、多発性硬化症、うつ病、双極性障害および統合失調症を含む精神状態、てんかん、片頭痛、注意力欠如障害、または注意欠陥多動性障害により、生じる可能性がある。
【０１５７】
徐波は、全身麻酔中に見られるが、自然睡眠中にも見られる。単一の徐波、すなわち、Ｋ複合、は、ノンレム（ＮＲＥＭ）睡眠ステージ２および、深いＮＲＥＭ睡眠（ステージ３）中の連続的な徐波活動で見られる。少なくとも二つの脳波信号の間の徐波の位相−位相、位相−振幅および／または振幅−位相カップリングは、自然睡眠中に測定され得、基準脳機能に基づく対応する位相カップリングテンプレート情報との比較がされ得る。基準脳機能は、健康な人を表してもよいし、特定の脳機能障害を有する人を表してもよい。さらに、基準脳機能は、睡眠中または覚醒している間の測定を表してもよい。比較は、例えば、徐波活動、異なる睡眠ステージ、てんかん性活動、または脳機能障害／損傷の量を検出および／または測定するために使用され得る。
【０１５８】
また、徐波は、てんかん性活動／発作または脳機能障害／損傷中にもときどき見られる。一方、自然睡眠または麻酔中に見られる正常な徐波活動は、てんかん性活動／発作または脳機能障害／損傷中にはない、または乱れている可能性がある。少なくとも二つの脳波信号の間の徐波の位相−位相、位相−振幅および／または振幅−位相カップリングは、てんかん性活動／発作または脳機能障害／損傷中に測定され得、基準脳機能に基づく対応する位相カップリングテンプレート情報との比較がされ得る。基準脳機能は、健康な人を表してもよいし、てんかん性活動／発作または特定の脳機能障害を有する人を表してもよい。さらに、基準脳機能は、同じ人または他の人を表してもよい。さらに、基準脳機能は、自然睡眠中、麻酔中または覚醒している間の測定を表してもよい。比較は、例えば、てんかん性活動／発作、または脳機能障害／損傷の量を検出および／または測定するために使用され得る。
【０１５９】
徐波は、全身麻酔の様々なレベルで見られる。連続的な徐波活動は、意識喪失後の深い鎮静状態時に見られ得るが、活動は、非常に深い麻酔時にも見られ、バーストサプレッションパターンがＥＥＧ内に見られる。この状態は、ときには医療的昏睡とも呼ばれる。徐波の位相カップリングパターンは、連続的な徐波活動が見られる状態と、バーストサプレッションパターンが見られる状態とで実質的に異なってもよい。少なくとも二つの脳波信号の間の徐波の位相−位相、位相−振幅および／または振幅−位相カップリングは、麻酔の様々なレベルで測定され得、基準脳機能に基づく対応する位相カップリングテンプレート情報との比較がされ得る。基準脳機能は、健常な人または特定の脳機能障害／損傷を有する人を表してもよい。さらに、基準脳機能は、連続的な徐波活動が見られる、またはバーストサプレッションパターンが見られる間の覚醒状態、軽い鎮静状態、深い鎮静状態など、麻酔の様々なレベルを表してもよい。比較は、例えば、麻酔、バーストサプレッションパターン、または脳機能障害／損傷のレベルまたは深さを検出および／または測定するために使用され得る。
【０１６０】
図１２は、徐波に関する信号カップリング決定に関する方法のフローチャートの例を表す。ステップ１２００において、ＥＥＧ信号は、フィルタバンクでフィルタにかけられ得る。当該ステップは、検出に含まれてもよい。ステップ１２０２において、所望のＥＥＧ信号が前処理され得、これは、例えば、ノイズおよびアーティファクトをフィルタリングし、接触不良になっている電極を検出し、さらなる処理からそれらの信号を潜在的に除去することを指してもよい。
【０１６１】
ステップ１２０４において、所望のＥＥＧ信号が、選択され、測定するために潜在的に変換され得る。当該ステップは、また、検出に含まれてもよい。ステップ１２０２において、一つ以上のＥＥＧ信号が、同様に、変換されてもよい。ステップ１２０６において、一つ以上のＥＥＧ信号の位相および振幅情報が互いに分けられる。ステップ１２０８において、位相間（位相−位相）、位相−振幅および／または振幅−位相カップリングが求められ、および／または解析される。実施形態において、ＥＥＧ信号の振幅は、ステップ１２０６とステップ１２０８の間にあるステップ１２０７Ａにおいて、信号成分へと変換される。そして、当該実施形態において、振幅（包絡線）の位相情報がステップ１２０７Ｂで検出される。振幅（包絡線）の検出位相情報は、ステップ１２０８において位相−振幅および／または振幅−位相カップリング特定で使用され得る。ステップ１２１０において、カップリング特徴（カップリングの強度、時間遅延、位相、または方向など）の計算が実行されてもよく、これにより、一つ以上のカップリング特徴行列を提供できる。カップリング特徴行列は、また、ＥＥＧ信号出力についての情報を含んでもよい（図４から図６、図８から図１１参照）。ステップ１２１２において、出力特徴計算（少なくとも一つの脳波信号の出力についての第２情報）が実行され得、これにより、出力特徴行列を提供できる（図７および図９参照）。
【０１６２】
図１３は、徐波に関するカップリング特徴指標計算、視覚化、学習（図１１参照）のフローチャートの例を示す。ステップ１３００において、出力特徴行列およびカップリング特徴行列が、特徴選択ステップ１３００によって受信される。特徴選択ステップ１３００は、次のステップのために、出力特徴行列またはカップリング特徴行列のいずれかまたは両方を選択できる。特徴選択ステップ１３００は、また、サロゲートおよび有意性解析ステップ１３００Ａについての情報を受けることができる。付加的にまたは代替的に、特徴選択ステップ１３００は、特徴選択についての情報をサロゲートおよび有意性解析ステップ１３００Ａに提供してもよい。ステップ１３０２において、選択された一つ以上の特徴行列は、特徴の距離尺度を形成するために、正規化され、および／または基準脳機能（基準脳機能（健常な脳）および第２基準脳機能（健常でない脳））の対応する行列と比較され得る。ステップ１３０２は、少なくとも一つの処理装置および適切なコンピュータプログラムを含む少なくとも一つの記憶装置を用いて実行され得る学習処理１３０２Ａへと情報を入力し、またはそこから情報を受けてもよい。学習処理１３０２Ａは、データベース１３０２Ｂと通信してもよい。データベース１３０２Ｂは、クラウドサーバ１３０２Ｃとの、有線または無線の、使用可能な接続を有してもよい。データベース１３０２Ｂおよび／またはクラウドサーバ１３０２Ｃは、生ＥＥＧ信号および処理ＥＥＧ信号のデータ記憶装置として使用されてもよい。付加的にまたは代替的に、データベース１３０２Ｂおよび／またはクラウドサーバ１３０２Ｃは、従来技術による、および／または本明細書に記載されているものによる一つ以上のやり方で、ＥＥＧ信号を処理してもよい。ステップ１３０４において、一つ以上の行列は、ステップ１３０２によって提供された、正規化された尺度および／または距離尺度で形成され得る。一つ以上の行列は、データベース１３０２Ｂおよび／またはクラウドサーバ１３０２Ｃで、格納され、または処理に使用され得る。ステップ１３０６において、表面計算が実行されてもよく、図３から図６および図８に示されているような結果が提供されてもよい。
【０１６３】
図１４は、どのようにカップリング行列が計算され得るかの例を示す（図１３および図１１参照）。ステップ１４００は、図１３のステップ１３０２において形成された距離および／または出力特徴を受けることができる。出力特徴および／または距離は、ステップ１３０２、データバンク１３０２Ｂまたはクラウドサーバ１３０２Ｃから来てもよい。ステップ１４００は、そして、出力パターン計算を実行することができる。ステップ１４０４は、図９のものに類似する、出力パターン計算から出力パターン適合数列を形成できる。ステップ１４０２は、図１２のステップ１２０６からカップリング特徴および／または距離を受けることができ、カップリングパターンを形成できる。ステップ１４０６は、ステップ１４０２によって提供されたカップリングパターン計算からカップリングパターン適合数列を形成できる。
【０１６４】
ステップ１４０８は、出力パターン適合数列および図１０に示すものに類似し、図１２のステップ１２０８で形成されたカップリングパターン適合数列を受けることができる。出力パターン適合数列およびカップリングパターン適合数列は、図１１で示すものに類似する指標を形成するためにステップ１４０８で組み合わされ得る。指標は、図１３に示されているステップ１３０４によって形成されてもよい。さらに、組み合わせパターンは、正規化され、大きさを合わせられ、ステップ１４１０の少なくとも一つの活性化関数で処理される。活性化関数は、組み合わせパターンの値を所望の範囲の大きさにする非線形関数であってもよい。関数は、伝達関数またはメンバシップ関数などであってもよく、人工ニューラルネットワークおよびファジー理論の分野で既知である。学習処理１３０２Ａは、双方向に情報を交換できるように、数列組み合わせステップ１４０８と通信してもよい。図１３と同様に、データバンク１３０２Ｂおよびクラウドサーバ１３０２Ｃは、受けたまたは備えているＥＥＧ信号の情報を格納または処理してもよい。サロゲート有意性は、データベース１３０２Ｂから読み出され、数列組み合わせ１４０８に供給されてもよい。代替的にまたは付加的に、地形的マッピングが、ステップ１４１０で形成されてもよい。地形的マッピングは、例えば、３次元頭蓋モデル上に配置され得る。
【０１６５】
実施形態において、脳機能測定用の装置は、投与装置１０４を備えても、または投与装置１０４と接続されてもよい（図１参照）。投与装置１０４は、例えば、薬物注入ポンプを含んでも、または薬物注入ポンプであってもよい。実施形態において、脳機能測定用の装置は、血液測定装置１０６を備えても、または血液測定装置１０６と接続されてもよい。血液測定装置１０６は、血液サンプルを、すなわち、人間１０８から特定量の血液を、取得するように構成されたサンプリング装置を備えてもよい。サンプリング装置は、バキュテイナおよび／または皮下注射針を備えてもよい。加えて、血液測定装置１０６は、例えば、血液の化学的または光学的解析を実行できる血液解析装置を備えてもよい。
【０１６６】
また、図１は、任意的であり、実施形態において使用され得る刺激装置１１２を示す。
【０１６７】
あらゆる従来のＥＥＧ解析または神経学的評価では妨げとなっていると通常はみられている、麻酔化合物の存在により、脳機能関連尺度および推定を生成する脳機能の自動的信号解析手法で使用される、脳機能の基本的態様を明らかにすることができる。高度信号解析方法および脳機能モデリングは、そのような洗練された尺度を生成するために再度要求とされる。高度脳機能尺度は、また、脳の機能障害を緩和または治療する神経治療効果の測定などの、類似の適用事例に有用であると示してもよい。また、機械学習およびＡＩは、概して、麻酔化合物が存在している間の、脳信号解析に使用され得る。
【０１６８】
少なくとも二つの脳波信号の間の位相−位相カップリング、少なくとも二つの脳波信号の間の位相−振幅カップリング、および少なくとも二つの脳波信号の間の振幅−位相カップリングは、麻酔中および様々な麻酔レベルの間で評価されてもよい。麻酔のレベルは、薬物注入ポンプが流体形態である麻酔薬物質を人間１１０の体へと注入できるなど、投与装置１０４で制御されてもよい。このようにして、人間１１０は、様々な量の麻酔薬物質に制御してさらされている。麻酔薬物質は、一つ以上の麻酔薬または麻酔薬の組み合わせを含む。麻酔薬物質は、例えばプロポフォールであってもよい。麻酔薬物質は、人間の循環系の少なくとも一つの静脈へと注入されてもよい。麻酔薬物質は、連続的に注入されてもよく、または一回以上のボーラスとして導入されてもよい。麻酔薬物質は、静注薬物と呼ばれてもよい。付加的にまたは代替的に動脈、硬膜外および／または皮下、くも膜下および筋注入が使用されてもよい。本文脈での注入とは、注射も含む。薬物注入ポンプは、麻酔薬物質を非常に正確に投与できる。麻酔薬物質の手動での注射は、より不正確かつ費用がかかる。薬物注入ポンプは、投入量が、例えば、時間、ＥＥＧ測定および麻酔薬の測定された濃度などの所望のパラメータに対して変化するように、麻酔薬物質を投与するために使用できる。
【０１６９】
付加的にまたは代替的に、マウスピースを通じて麻酔薬物質を吸入するために、投与装置１０４として吸入装置が使用されてもよい。吸入は、連続的であってもよく、または麻酔薬物質が段階的に（それぞれの段階で投与量を増減させて）導入されてもよい。
【０１７０】
データ処理ユニット１００は、人間１１０が一つ以上の推定または測定されたゼロでない量の麻酔薬物質にさらされている間、人間１１０の脳のＥＥＧ測定に基づくＥＥＧデータを受信してもよい。
【０１７１】
少なくとも一つの麻酔薬物質は、時間に応じて人間１１０の体１０８で一つ以上の推定または測定されたゼロでないレベルの濃度を有してもよい。推定または測定できるゼロでない濃度においてのみＥＥＧを測定することが可能である。濃度のレベルの一つの代わりに、麻酔薬物質は、時間に応じて複数の濃度レベルを有してもよい。少なくとも一つの濃度レベルが推定または測定されてもよい。麻酔薬物質のＥＥＧ効果は、典型的には、体１０８内での麻酔薬物質の濃度レベルに基づく。バーストサプレッションパターンなどのＥＥＧ特性は、麻酔薬物の効果またはレベルを特定するために使用されてもよい。バーストサプレッションパターンなどのＥＥＧ効果は、麻酔薬物質の投与の量を決定するために使用されてもよい。代替的にまたは加えて、使用されたＥＥＧ特性は、薬物の投与に起因する徐波活動などの特徴を含んでもよく、例えば、当該特徴に対する薬物の最大効果が利用される。さらに代替的にまたは加えて、使用されたＥＥＧ特性は、薬物の投与によって生じる、徐波活動の範囲内の所定の閾値を超える特徴での変化の決定を含んでもよい。所定の閾値は、当業者の経験に基づいてもよい。所定の閾値は、シミュレーションに基づいてもよい。所定の閾値は、薬物の期待効果に基づいてもよく、効果および効用は、文献で公開されている。薬物の効果は時間に応じて変化するため、当業者は、自身の知識に基づいて所定の閾値がいつ超えられるか、分かる。徐波活動は、本明細書で説明されている位相−位相、位相−振幅および／または振幅−位相カップリングに基づいて測定されてもよい。さらに、徐波活動は、同じく本明細書で説明されているＥＥＧの出力測定に基づいて測定されてもよい。
【０１７２】
少なくとも一つの麻酔薬物質の投与により、位相カップリング（位相−位相、位相−振幅および／または振幅−位相カップリング）の測定が改善してもよい。少なくとも一つの麻酔薬物質の投与により、例えば、他の脳活動を低くすることで信号雑音比が向上してもよく、徐波活動が増加してもよい。
【０１７３】
少なくとも二つの脳波信号の間の位相−位相カップリング、少なくとも二つの脳波信号の間の位相−振幅カップリング、および少なくとも二つの脳波信号の間の振幅−位相カップリングは、刺激中に評価されてもよく、刺激が与えられている状態と与えられていない状態との間で比較されてもよい。刺激により、例えば、徐波活動を増加させ、他の脳活動を減少させることで、カップリングの存在または不存在の検出が向上してもよい。
【０１７４】
図１５に示されている実施例の実施形態において、刺激装置１１２は、脳に磁気刺激を与える少なくとも一つのコイル２００を備えてもよい。刺激は、コイルが、刺激される領域の近くで頭の外側に配置されるように、経頭蓋で行われてもよい。交流電流がコイル２００に与えられると、交流磁場が生成される。刺激は、磁気刺激パルスが特定の周波数で繰り返し与えられるように、繰り返し行われてもよい。周波数は、例えば約０．８Ｈｚまたは５Ｈｚであってもよく、刺激は、例えば約３０分続けられてもよい。刺激は、皮質の特定領域を刺激するために、感覚運動皮質上の領域など頭皮の特定位置に与えられてもよい。刺激強度は、例えば、１５０〜１８０Ｖ／ｍの最大電場に対応する最大刺激出力の６５〜８５％であってもよい。
【０１７５】
図１６に示されている実施例の実施形態において、刺激装置１１２は、脳に電気刺激を与える少なくとも一つの刺激電極３００を備えてもよい。少なくとも一つの電極３００は、電極システム１０２に含まれてもよいし、電極システム１０２とは分かれていてもよい。電極３００は、電磁放射を無線で送信してもよく、または脳とのガルバニック接続を通じて交流若しくは直流電流を脳に与えてもよい。刺激は、電極が、刺激される領域の近くで頭皮に配置されるように、経頭蓋で行われてもよい。刺激は、交流電流の方向の直流電流の振幅が特定周波数で変化するように、振動して与えられてもよい。周波数は、例えば約０．８Ｈｚまたは５Ｈｚであってもよく、刺激は、例えば約３０分続けられてもよい。刺激は、皮質の特定領域を刺激するために、前頭葉上の領域など頭皮の特定位置に与えられてもよい。直流電流刺激で、陽極電極（正極の電極）は、前頭葉上に配置されてもよいし、陰極電極（負極の電極）は、基準電極として機能してもよいし、三角筋に配置されてもよい。刺激電流は、例えば０から０．６ｍＡの間で変化してもよく、最大電流密度は、約０．５ｍＡｃｍ−２であり得る。
【０１７６】
頭皮での刺激に加えてまたは代替的に、電気刺激は、電極を皮質の表面にまたは脳組織内（この場合の手法は脳深部刺激と呼ばれる）に配置することで、脳組織に直接加えられてもよい。
【０１７７】
図１７に示されている実施例の実施形態において、刺激装置１１２は、脳に音刺激を与える少なくとも一つの超音波振動子４００を備えてもよい。超音波振動子４００は、超音波を脳全体または脳の一部へと向けてもよい。
【０１７８】
図１５から図１７に示されているものに類似する実施例の実施形態において、刺激装置１１２は、脳に光刺激を与える少なくとも一つの光ファイバまたは少なくとも一つの光学的放射源を備えてもよい。光学的放射源は、例えば、少なくとも一つのＬＥＤ（発光ダイオード）または少なくとも一つのレーザを含んでもよい。少なくとも一つの光ファイバまたは少なくとも一つの光学的放射源は、光刺激を脳全体、脳の一部または脳の複数の部分に向けてもよい。光刺激において、光遺伝学的手法が組み合わされてもよい。当該手法において、ニューロンは、遺伝子組み換えによって光刺激に反応するようにされている。
【０１７９】
図１８に示されている実施例の実施形態において、刺激装置１１２は、脳に化学的刺激を与える少なくとも一つの刺激投与装置５００を備えてもよい。刺激投与装置５００は、投与装置１０４に類似する薬物注入ポンプおよび／または吸入装置を備えてもよい。刺激投与装置５００は、人間１１０に少なくとも一つの刺激薬物を与えてもよい。刺激薬物は、ここでは、欠落した活動を誘発したり、異常な活動を減少させたりすることができる薬物を意味する。例えば、徐波活動用の刺激薬物は、静脈ＧＡＢＡ性麻酔薬、吸入ＧＡＢＡ性麻酔薬、オピオイドおよび／またはアルファ２アドレナリン麻酔薬である場合がある。他の静脈ＧＡＢＡ性麻酔薬の一群は、例えば、エトミデート、チオペンタール、および／またはメトヘキシタールを含んでもよい。吸入ＧＡＢＡ性麻酔薬の一群は、例えば、イソフルラン、デスフルラン、および／またはセボフルランを含んでもよい。オピオイドの一群は、例えば、モルヒネ、フェンタニル、アルフェンタニル、レミフェンタニル、および／またはスフェンタニルを含んでもよい。アルファ２アドレナリン麻酔薬の一群は、例えば、デクスメデトミジンなどを含んでもよい。
【０１８０】
実施形態において、刺激は、第１情報に基づいて使用されてもよい。実施形態において、刺激は、所定の異常な脳活動を有する人の脳機能を改善するために使用されてもよい。実施形態において、刺激は、脳内の異常活動が第１情報に基づいて特定されたとき、正常な脳活動へ向けた改善を早めるために使用されてもよい。実施形態において、刺激は、脳内の異常活動が第１情報に基づいて特定されたとき、刺激がない場合より正常な脳活動に近い脳活動に脳活動に至るように使用されてもよい。実施形態において、刺激が治療過程において役に立ち得るため、刺激は、第１情報に基づいて良好な転帰を有すると推定された人間に加えられてもよい。実施形態において、刺激が治療に役立ち得るため、刺激は、第１情報に基づいて転帰不良を有すると推定された人間に加えられてもよい。また、第１情報に加えて、第２情報がこれらの場合に使用されてもよい。
【０１８１】
図１９は、位相−振幅カップリングの実施例を示す。測定のために受けたまたは選択されたＥＥＧ信号の数は、Ｎであってもよく、Ｎは少なくとも二つであり、それらは最初にフィルタされてもよい。測定のために受けたまたは選択されたＭのＥＥＧ信号があってもよく、ＭはＮより小さい。そして、一つ以上の徐波信号（ＳＷ１とＳＷ２）と最大Ｋ個の信号（Ｓ３、Ｓ４包絡線１とＳ４包絡線２）が比較されてもよい。ここで、Ｋは、ゼロより大きな整数である。すなわち、Ｋ個の信号の、振幅などの信号成分が徐波信号の位相と比較されてもよい。Ｋ個の信号の振幅は、Ｋ個の信号の包絡線を指す。振幅／包絡線の変動は、徐波の周波数帯域内にある。本実施例では、振幅Ｓ４包絡線１は、徐波であり、カップリングを考慮され得る。振幅Ｓ４包絡線２は、徐波帯域内にはなく、（それ自体が徐波帯域内にはない、信号Ｓ３とＳ４の間のカップリングをできるかもしれないが）徐波カップリングには寄与しない。
【０１８２】
技術が進歩するにつれて、様々な方法で発明概念が実行され得ることは、当業者には明らかであろう。発明およびその実施形態は、上記されている実施形態の例に限定されず、特許発明の範囲内で変化されてもよい。
【図１】
2021513391.tif 000080
【図２】
2021513391.tif 000081
【図３】
2021513391.tif 000082
【図４】
2021513391.tif 000083
【図５】
2021513391.tif 000084
【図６】
2021513391.tif 000085
【図７】
2021513391.tif 000086
【図８】
2021513391.tif 000087
【図９】
2021513391.tif 000088
【図１０】
2021513391.tif 000089
【図１１】
2021513391.tif 000090
【図１２】
2021513391.tif 000091
【図１３】
2021513391.tif 000092
【図１４】
2021513391.tif 000093
【図１５】
2021513391.tif 000094
【図１６】
2021513391.tif 000095
【図１７】
2021513391.tif 000096
【図１８】
2021513391.tif 000097
【図１９】
2021513391.tif 000098
【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
装置であって、前記装置は、データ処理ユニットを備え、前記データ処理ユニットは、一つ以上の処理装置、およびコンピュータプログラムコードを含む一つ以上の記憶装置を備え、前記一つ以上の記憶装置、および前記一つ以上の処理装置を有する前記コンピュータプログラムコードは、前記装置に少なくとも
人間の脳の少なくとも二つの脳波信号を受けさせ、
少なくとも二つの脳波信号の間の位相−位相カップリングを測定することで第１情報を形成させ、
少なくとも一つの脳波信号の出力を測定することで第２情報を形成させる、ように構成され、前記第１情報および前記第２情報は、１Ｈｚ以下の周波数を有する徐波に関連し、
前記一つ以上の記憶装置、および前記一つ以上の処理装置を有する前記コンピュータプログラムコードはさらに、前記装置に少なくとも
前記第１情報および前記第２情報を正規化させ、
正規化された前記第１情報と前記第２情報を組み合わさせ、
組み合わされた前記第１情報および前記第２情報についての情報を出力させる、ように構成されている、装置。
【請求項２】
装置であって、前記装置は、データ処理ユニットを備え、前記データ処理ユニットは、一つ以上の処理装置、およびコンピュータプログラムコードを含む一つ以上の記憶装置を備え、前記一つ以上の記憶装置、および前記一つ以上の処理装置を有する前記コンピュータプログラムコードは、前記装置に少なくとも
人間の脳の少なくとも二つの脳波信号を受けさせ、
少なくとも二つの脳波信号の間の位相−位相カップリングを測定することで第１情報を形成させ、
少なくとも一つの脳波信号の出力を測定することで第２情報を形成させる、ように構成され、前記第１情報および前記第２情報は、１Ｈｚ以下の周波数を有する徐波の位相カップリングに関連し、
前記一つ以上の記憶装置、および前記一つ以上の処理装置を有する前記コンピュータプログラムコードはさらに、前記装置に少なくとも
前記第１情報と、基準脳機能に基づく対応するカップリングテンプレート情報との間で第１比較を実行させ、
前記第２情報と、基準脳機能に基づく対応する出力テンプレート情報との間で第２比較を実行させ、
前記第１比較と前記第２比較を組み合わさせ、
組み合わされた前記第１比較および前記第２比較についての情報を出力させる、ように構成されている、装置。
【請求項３】
前記一つ以上の記憶装置、および前記一つ以上の処理装置を有するコンピュータプログラムコードは、前記装置に、前記第２情報を正規化するために、基準脳機能に基づく対応する出力テンプレート情報と、前記第２情報との間で第２比較を実行させるように構成されている、請求項１に記載の装置。
【請求項４】
前記一つ以上の記憶装置、および前記一つ以上の処理装置を有するコンピュータプログラムコードは、前記装置に、前記第１情報と前記第２情報とを組み合わさせ、組み合わせ情報と、基準脳機能に基づく対応する組み合わせテンプレート情報との間で組み合わせ比較を実行させ、前記組み合わせ比較についての情報を出力させるように構成されている、請求項１に記載の装置。
【請求項５】
前記一つ以上の記憶装置、および前記一つ以上の処理装置を有するコンピュータプログラムコードは、前記装置に、以下のリスト：てんかん性活動、脳機能障害、神経損傷、睡眠、および一つ以上のゼロでない量の麻酔薬物質のうちの少なくとも一つの影響下にあることが予想されている前記人間の前記脳の前記少なくとも二つの脳波信号を受けさせるように構成されている、請求項１に記載の装置。
【請求項６】
前記一つ以上の記憶装置、および前記一つ以上の処理装置を有するコンピュータプログラムコードは、前記装置に、前記第１比較に基づいて前記人間が前記リスト内の少なくとも一つの前記影響下にあるかどうかを推定させ、推定の結果を表示させるように構成されている、請求項５に記載の装置。
【請求項７】
前記一つ以上の記憶装置、および前記一つ以上の処理装置を有するコンピュータプログラムコードは、前記装置に、前記第１比較に基づいて前記人間の神経機能レベルを予測させるように構成されている、請求項１に記載の装置。
【請求項８】
前記一つ以上の記憶装置、および前記一つ以上の処理装置を有するコンピュータプログラムコードは、前記装置に、前記第１情報と前記カップリングテンプレート情報との間の差が第１所定閾値より小さい場合、良好な転帰に向けての前記人間の前記神経機能レベルのさらなる進行を予測させるように構成されている、請求項７に記載の装置。
【請求項９】
前記一つ以上の記憶装置、および前記一つ以上の処理装置を有するコンピュータプログラムコードは、前記装置に、前記第１情報と前記カップリングテンプレート情報との間の差が第２所定閾値より大きい場合、転帰不良に向けての前記人間の前記神経機能レベルのさらなる進行を予測させるように構成されている、請求項７に記載の装置。
【請求項１０】
前記一つ以上の記憶装置、および前記一つ以上の処理装置を有するコンピュータプログラムコードは、前記装置に、位相分離畳み込み変換に基づいて少なくとも二つの脳波信号の位相と振幅を分けさせるように構成されている、請求項１に記載の装置。
【請求項１１】
前記一つ以上の記憶装置、および前記一つ以上の処理装置を有するコンピュータプログラムコードは、前記装置に、情報理論的尺度、位相同期乗算器、復調、確率密度推定、二変量尺度、相関関係、多変量因果尺度、およびカップリングフィンガープリントのうちの少なくとも一つに基づいて前記第１情報を形成させるように構成されている、請求項１に記載の装置。
【請求項１２】
前記装置は、前記データ処理ユニットに前記人間の前記脳の前記少なくとも二つの脳波信号を提供するように構成された電極システムを備える、請求項１に記載の装置。
【請求項１３】
方法であって、データ処理ユニットで実行される前記方法は、
データ処理ユニットによって、人間の脳の複数の脳波信号を受けるステップと、
少なくとも二つの脳波信号の間の位相−位相カップリングを測定することで第１情報を形成するステップと、
少なくとも一つの脳波信号の出力を測定することで第２情報を形成するステップと、を含み、前記第１情報および前記第２情報は、１Ｈｚ以下の周波数を有する徐波の位相カップリングに関連し、
前記方法はさらに、
前記第１情報および前記第２情報を正規化するステップと、
正規化された前記第１情報と前記第２情報を組み合わすステップと、
正規化された前記第１情報および前記第２情報についての情報を出力するステップと、含む、方法。
【請求項１４】
前記方法は、前記第１情報と、基準脳機能に基づく対応するカップリングテンプレート情報との間で第１比較を行うことで前記第１情報を正規化するステップと、前記第１比較の結果についての情報を出力するステップと、をさらに含む、請求項１３に記載の方法。
【請求項１５】
前記方法は、前記正規化された第２情報と、基準脳機能に基づく対応する出力テンプレート情報との間で第２比較を行うことで前記第２情報を正規化するステップと、前記第２比較についての情報を出力するステップと、をさらに含む、請求項１３に記載の方法。
【国際調査報告】
2021513391.tif 000099
2021513391.tif 000100
2021513391.tif 000101